(57)【要約】【課題】一方面材を表面のみに露出させると同時に、他方面材を裏面のみに露出させる等をして、「部品点数の低減」と「構成の簡素化」を同時に実現する。【解決手段】カーテン生地２の表面２ａに一方面材Ａを有し、裏面２ｂに他方面材Ｂを有するカーテン１であって、一方面材Ａは表面２ａのみに露出すると同時に、他方面材Ｂは裏面２ｂのみに露出する。カーテン生地２を構成する生地１０の端部を３回折った３回端折部Ｃを備えていても良い。又、表面１０ａに一方面材Ａを有し、裏面１０ｂに他方面材Ｂを有する生地１０であって、一方面材Ａと他方面材Ｂが表裏で入れ替わっているリバース部１１や表裏が共に一方面材Ａ又は他方面材Ｂを有するダブル部１２が設けられている。この生地１０で構成したカーテン生地２の端部に、リバース部１１又はダブル部１２を２回折った２回端折部Ｄを備えていても良い。【選択図】図１
2018083026.tif 000002
【特許請求の範囲】
【請求項１】
カーテン生地の表面に一方面材を有し、前記カーテン生地の裏面に他方面材を有するカーテンであって、
前記一方面材はカーテン生地の表面のみに露出すると同時に、前記他方面材はカーテン生地の裏面のみに露出していることを特徴とするカーテン。
【請求項２】
前記カーテン生地は、当該カーテン生地を構成する生地の端部を３回折った３回端折部を備えていることを特徴とする請求項１に記載のカーテン。
【請求項３】
表面に一方面材を有し、裏面に他方面材を有する生地であって、
前記一方面材と他方面材が当該生地一部の表裏で入れ替わっているリバース部、及び／又は、当該生地一部の表裏が共に前記一方面材若しくは他方面材を有するダブル部が設けられていることを特徴とする生地。
【請求項４】
請求項３に記載の生地のうち、その端部に前記リバース部又はダブル部が設けられた生地でカーテン生地を構成し、
当該カーテン生地は、前記リバース部又はダブル部が２回折られることで、前記一方面材をカーテン生地の表面のみに露出すると同時に、前記他方面材をカーテン生地の裏面のみに露出した２回端折部を備えていることを特徴とするカーテン。
【請求項５】
請求項２に記載の３回端折部又は請求項４に記載の２回端折部において折られて重なったカーテン生地同士の間のクリアランス部には、ラベル及び／又はフックが設けられ、
これらラベル及び／又はフックの少なくとも一部が、前記クリアランス部に覆われていることを特徴とするカーテン。
【請求項６】
カーテン生地を備えたカーテンであって、
前記カーテン生地を構成する生地の端部を３回折った３回端折部、又は、前記カーテン生地を構成する生地の端部を２回折った２回端折部において折られて重なったカーテン生地同士の間のクリアランス部には、ラベル及び／又はフックが設けられ、
これらラベル及び／又はフックの少なくとも一部が、前記クリアランス部に覆われていることを特徴とするカーテン。
【請求項７】
カーテン生地を備えたカーテンであって、
前記カーテン生地を構成する生地の端部を処理した後に２回折った処理後２回端折部、又は、前記カーテン生地を構成する生地の端部を処理した後に１回折った処理後１回端折部において折られて重なったカーテン生地同士の間のクリアランス部には、ラベル及び／又はフックが設けられ、
これらラベル及び／又はフックの少なくとも一部が、前記クリアランス部に覆われていることを特徴とするカーテン。
【発明の詳細な説明】
【技術分野】
【０００１】
本発明は、カーテン生地の表面に一方面材を有し、カーテン生地の裏面に他方面材を有するカーテン、及び、表面に一方面材を有し、裏面に他方面材を有する生地に関する。
【背景技術】
【０００２】
従来、色彩等の調整ができるカーテンや垂幕が知られている（特許文献１）。
このカーテン等は、２枚の布を１つの巻上装置で懸垂した二重構造となっており、これら２枚の布は、互いの色模様が異なるため、それぞれを巻き上げ・巻き下ろしすることで、色彩等の調整を行っている。
【先行技術文献】
【特許文献】
【０００３】
【特許文献１】特開平１１−８９７０６号公報
【発明の概要】
【発明が解決しようとする課題】
【０００４】
しかしながら、特許文献１に記載されたカーテン等は、布が２枚必要であることや、巻上装置を必須としていることから、部品点数の増加を招いている。
更に、特許文献１に記載されたカーテン等の巻上装置は、二重に懸垂したカーテン等をそれぞれ巻着し、かつ同一速度及び同一時期にカーテン等の巻き上げ又は巻き下ろしを行う回転柱を２個設け、この内の少なくとも一方の回転柱を上下動自在とするか、又は少なくとも一方のカーテン等と係合しかつ上下動自在である回転柱を別途設けていることから、装置構成が非常に複雑となっている。
【０００５】
そこで、本発明は、一方面材を表面のみに露出させると同時に、他方面材を裏面のみに露出させる等により、部品点数の低減や、構成の簡素化を同時に実現できるカーテンや生地を提供することを目的とする。
【課題を解決するための手段】
【０００６】
本発明に係るカーテン１は、カーテン生地の表面に一方面材を有し、前記カーテン生地の裏面に他方面材を有するカーテンであって、前記一方面材はカーテン生地の表面のみに露出すると同時に、前記他方面材はカーテン生地の裏面のみに露出していることを第１の特徴とする。
【０００７】
本発明に係るカーテン１の第２の特徴は、上記第１の特徴に加えて、前記カーテン生地は、当該カーテン生地を構成する生地１０の端部を３回折った３回端折部を備えている点にある。
【０００８】
本発明に係る生地１０は、表面に一方面材を有し、裏面に他方面材を有する生地であって、前記一方面材と他方面材が当該生地一部の表裏で入れ替わっているリバース部、及び／又は、当該生地一部の表裏が共に前記一方面材若しくは他方面材を有するダブル部が設けられていることを第１の特徴とする。
【０００９】
本発明に係るカーテン１の第３の特徴は、上記の生地のうち、その端部に前記リバース部又はダブル部が設けられた生地でカーテン生地を構成し、当該カーテン生地は、前記リバース部又はダブル部が２回折られることで、前記一方面材をカーテン生地の表面のみに露出すると同時に、前記他方面材をカーテン生地の裏面のみに露出した２回端折部を備えている点にある。
【００１０】
本発明に係るカーテン１の第４の特徴は、上記第２の特徴における３回端折部又は上記第３の特徴における２回端折部において折られて重なったカーテン生地同士の間のクリアランス部には、ラベル及び／又はフックが設けられ、これらラベル及び／又はフックの少なくとも一部が、前記クリアランス部に覆われている点にある。
尚、本発明における「ラベル及び／又はフックの少なくとも一部」とは、「ラベルの少なくとも一部、及び／又は、フックの少なくとも一部」との意味である。
【００１１】
本発明に係るカーテン１の第５の特徴は、カーテン生地を備えたカーテンであって、前記カーテン生地を構成する生地の端部を３回折った３回端折部、又は、前記カーテン生地を構成する生地の端部を２回折った２回端折部において折られて重なったカーテン生地同士の間のクリアランス部には、ラベル及び／又はフックが設けられ、これらラベル及び／又はフックの少なくとも一部が、前記クリアランス部に覆われている点にある。
【００１２】
本発明に係るカーテン１の第６の特徴は、カーテン生地を備えたカーテンであって、前記カーテン生地を構成する生地の端部を処理した後に２回折った処理後２回端折部、又は、前記カーテン生地を構成する生地の端部を処理した後に１回折った処理後１回端折部において折られて重なったカーテン生地同士の間のクリアランス部には、ラベル及び／又はフックが設けられ、これらラベル及び／又はフックの少なくとも一部が、前記クリアランス部に覆われている点にある。
【００１３】
これらの特徴により、一方面材Ａをカーテン生地２の表面２ａのみに露出させると同時に、他方面材Ｂをカーテン生地２の裏面２ｂのみに露出させることによって、カーテン１を裏返すだけで、カーテン１における色彩や模様を変更（調整）することが可能となるため、特許文献１とは異なり、カーテン生地は１枚で済み、複雑な構造の巻上装置は不要となり、必要な部品点数が減り、カーテン１の構成をシンプルにすることが出来る。
よって、「部品点数の低減」、「構成の簡素化」を同時に実現できる。
尚、本発明に係るカーテン１は、室内等（カーテン１で仕切った空間のうち、一方の空間）の使用者に、意図した意匠性を有する一方面材Ａ（表面２ａ側）と他方面材Ｂ（裏面２ｂ側）の両方を見せることが可能となり、「表裏両用可能なカーテン」であるとも言える。
【００１４】
又、カーテン生地２を構成する生地１０の端部を３回折った３回端折部Ｃを備えることで、カーテン生地２端部からの解れ等を防ぐ端部処理が可能となると共に、表面２ａには一方面材Ａのみが露出し、裏面２ｂには他方面材Ｂのみが露出するカーテン１の構成が可能となるため、「部品点数の低減」と「構成の簡素化」の他に、「端部処理の容易化」が図れる。
【００１５】
更に、表面１０ａに一方面材Ａを有し、裏面１０ｂに他方面材Ｂを有した生地１０に、一方面材Ａと他方面材Ｂが表裏で入れ替わっているリバース部１１や、表裏が共に一方面材Ａ又は他方面材Ｂであるダブル部１２を設けることで、生地１０の裁断や幅継ぎの仕方等によって、１つのカーテン生地２において、各端部ごとに解れ防止等の処理を変えたり、様々な幅（巾）のカーテン生地２を作成し易くなると共に、上述のリバース部１１やダブル部１２を折り曲げる等によって、一方面材Ａを表面１０ａのみに露出させ、他方面材Ｂを裏面１０ｂのみに露出させることが可能となる。
尚、このような露出をした生地１０をカーテンや垂幕等に用いた場合には、上述したように、裏返すだけで、生地１０における色彩や模様を変更（調整）することが可能となるため、特許文献１とは異なり、生地は１枚で済み、複雑な構造の巻上装置は不要となり、必要な部品点数が減り、カーテンや垂幕等に用いる生地１０の構成をシンプルにすることが出来る。
よって、「部品点数の低減」、「構成の簡素化」を同時に実現できる。
尚、本発明に係る生地１０をカーテンや垂幕等に用いた場合、室内等の使用者に、意図した意匠性を有する一方面材Ａ（表面１０ａ側）と他方面材Ｂ（裏面１０ｂ側）の両方を見せることが可能となり、「表裏両用可能な生地」であるとも言える。
【００１６】
上述した生地１０で構成したカーテン生地２の端部に設けたリバース部１１やダブル部１２を２回折って、一方面材Ａを表面２ａのみに露出させると同時に、他方面材Ｂを裏面２ｂのみに露出させた２回端折部を備えることで、リバース部１１やダブル部１２が設けられた生地１０を用いても、過度にカーテン生地２を分厚くすることなく、カーテン生地２端部からの解れ等を防ぐ端部処理が可能となると共に、表面２ａには一方面材Ａのみが、裏面２ｂには他方面材Ｂのみが露出するようにカーテン１を構成できるため、「部品点数の低減」と「構成の簡素化」の他に、「端部処理の容易化」が図れる。
【００１７】
更に、カーテン生地２と、上述した３回端折部Ｃや２回端折部Ｄで折り返されたカーテン生地２との間のクリアランス部３で、ラベル４やフック５の少なくとも一部を覆うことで、カーテン１の表面１ａ・裏面１ｂの何れからもラベル４やフック５が露出し難くし、ラベル４やフック５を取り付けても、カーテン１の表裏両用に適する。
尚、これら３回端折部Ｃや２回端折部Ｄ、クリアランス部３、ラベル４、フック５を有したカーテン生地２は、表面２ａに一方面材Ａを有し、裏面２ｂに他方面材Ｂを有するものだけでなく、表面２ａと裏面２ｂの両面に、一方面材Ａ又は他方面材Ｂのみを有するものであっても良い。
又、カーテン生地２を構成する生地１０の端部を処理した後に折った処理後２回端折部Ｅや、処理後１回端折部Ｆにおいても、折り返されたカーテン生地２との間のクリアランス部３で、ラベル４やフック５の少なくとも一部を覆うことで、カーテン１の表面１ａ・裏面１ｂの何れからもラベル４やフック５が露出し難くし、ラベル４やフック５を取り付けても、カーテン１の表裏両用に適する。
【発明の効果】
【００１８】
本発明に係るカーテン及び生地によると、一方面材を表面のみに露出させると同時に、他方面材を裏面のみに露出させる等とすることで、「部品点数の低減」、「構成の簡素化」を同時に実現できる。
【図面の簡単な説明】
【００１９】
【図１】本発明の第１実施形態に係るカーテンを示す概要図である。
【図２】第１実施形態のカーテン生地（生地）における３回端折部として生地を折る前の状態を示す正面図である。
【図３】第１実施形態のカーテン生地（生地）における３回端折部を示す断面図であって、（ａ）は折った３回端折部がカーテン生地の裏面側に位置する場合を示し、（ｂ）は折った３回端折部がカーテン生地の表面側に位置する場合を示す。
【図４】第１実施形態のカーテンを示す図面代用写真である。
【図５】第１実施形態のカーテンにおけるラベルとクリアランス部などを示す図面代用写真である。
【図６】第１実施形態のカーテンにおけるフックとクリアランス部などを示す図面代用写真である。
【図７】生地の実施例１−１における染色堅ろう度を示す試験結果である。
【図８】生地の実施例１−２における染色堅ろう度を示す試験結果である。
【図９】生地の実施例１−３における染色堅ろう度を示す試験結果である。
【図１０】本発明の第２、３実施形態に係るカーテンを示す概要図である。
【図１１】第２、３実施形態のカーテン生地（生地）における２回端折部としてリバース部又はダブル部を折る前の状態を示す正面図である。
【図１２】第２実施形態のカーテン生地（生地）におけるリバース部を折った２回端折部を示す断面図であって、（ａ）はリバース部を折った２回端折部がカーテン生地の裏面側に位置する場合を示し、（ｂ）はリバース部を折った２回端折部がカーテン生地の表面側に位置する場合を示す。
【図１３】第２実施形態のリバース部が設けられた生地の組織の例示であって、（ａ）は当該生地の組織図であり、（ｂ）は当該生地のリバース部とそれ以外の各１リピートを示すイメージ図であり、（ｃ）は当該生地のリバース部とそれ以外の各数リピートを示すイメージ図である。
【図１４】生地の実施例２−１におけるリバース部を例示する図面代用写真である。
【図１５】生地の実施例２−２におけるリバース部を例示する図面代用写真である。
【図１６】第３実施形態のカーテン生地（生地）におけるダブル部を折った２回端折部を示す断面図であって、（ａ）はダブル部を折った２回端折部がカーテン生地の裏面側に位置する場合を示し、（ｂ）はダブル部を折った２回端折部がカーテン生地の表面側に位置する場合を示す。
【図１７】第３実施形態のダブル部が設けられた生地の組織の例示であって、（ａ）は当該生地の組織図であり、（ｂ）は当該生地のイメージ図である。
【図１８】生地の実施例３におけるダブル部を例示する図面代用写真である。
【発明を実施するための形態】
【００２０】
＜第１実施形態のカーテン１＞
以下、本発明の実施形態を、図面を参照して説明する。
図１〜９には、本発明の第１実施形態に係るカーテン１が示されており、カーテン１は、カーテン生地２を有している。
【００２１】
カーテン１は、クリアランス部３やラベル４、フック５が設けられていても良い。
ここで、フック５とは、カーテンランナ等に引っ掛けられて、カーテン１を吊り下げるためのものであり、このカーテンランナは、カーテンレールに移動可能に取り付けられていても良い。
尚、カーテンレール、カーテンランナ等や、カーテン１の上部をカーテンボックスで覆っていても構わない。
【００２２】
＜カーテン生地２＞
図１〜９に示したように、カーテン生地２は、カーテン１のベースとなるシート状物である。
カーテン生地２は、当該カーテン生地２を構成する（カーテン生地２の元となる）生地１０を、端部における縫製、熱等の加工処理、又は、幅継ぎ（複数の生地を継いで１つのカーテン生地２を構成すること）などを行って、初めてカーテン生地２となる。
【００２３】
カーテン生地２は、当該カーテン生地２の表面２ａに一方面材Ａを有し、当該カーテン生地２の裏面２ｂに他方面材Ｂを有するが、更に言及すると、一方面材Ａはカーテン生地２の表面２ａのみに露出すると同時に、他方面材Ｂはカーテン生地２の裏面２ｂのみに露出している。
そこで、カーテン生地２を構成する生地１０そのものと、一方面材Ａや他方面材Ｂ等の面材について、まず詳解する。
【００２４】
＜生地１０＞
図１〜９に示したように、生地１０は、カーテン生地２を構成することとなるシート状物である。
生地１０の素材は、特に限定はないが、例えば、織物、編物（レース）、フィルムなどや、それらを組み合わせたもののシート状物であっても良い。
【００２５】
生地１０が織物の場合、何れの織組織でも構わないが、例えば、平織や綾織、朱子織、二重織、二重織以上の多重織などであっても良い。
生地１０が編物の場合、デンビー編（トリコット編）や、ラッシェル編、ダブルラッシェル編、バンダイク編（アトラス編）、コード編などの経編や、平編（天竺編）、ゴム編（リブ編）、パール編などの緯編など、それぞれ何れの組織であっても構わない。
【００２６】
生地１０が織物や編物である場合、それらを構成（織成、編成）する繊維としては、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル系繊維、ポリビニルアルコール（ＰＶＡ）繊維（ビニロン繊維）、ポリウレタン（ＰＵ）繊維などの合成繊維、その他、絹（シルク）繊維、綿繊維、麻繊維、羊毛繊維、ガラス繊維などであり、これらを単独又は組み合わせて用いられても良い。
又、生地１０が織物や編物である場合、それらを構成（織成、編成）する繊維の繊度も、何れの値でも良いが、例えば、総繊度で、２０ｄｔｅｘ以上３０００ｄｔｅｘ以下である。
【００２７】
生地１０がフィルムなどのシート状物であれば（カーテン１が例えばシャワーカーテンである場合など）、それを構成する材料としては、ポリ塩化ビニル（ＰＶＣ）樹脂や、ポリエチレンテレフタレート（ＰＥＴ）や、ポリトリメチレンテレフタレート（ＰＴＴ）、ポリブチレンテレフタレート（ＰＢＴ）等のポリエステル樹脂、ポリアミド（ＰＡ）樹脂などの合成樹脂などや、これらを単独又は組み合わせて用いられても良い。
上述した生地１０は、所望により、酸化チタン、炭酸カルシウム等の体質顔料やフィラー（充填材）を任意に付与したり、消臭剤、抗菌剤、防カビ剤、難燃剤、撥水剤、防汚剤、着色剤、香料、発泡剤等を付与しても良く、付与するタイミングも、生地１０として構成する（織成・編成等をする）前後を問わず、付与の方法も何れであっても良い。
【００２８】
生地１０は、その模様については、花や草木などの植物の柄や、動物の柄、幾何学模様、無地、表面凹凸等による模様など何れでも良い。生地１０の色彩についても、赤色系、橙色系、黄色系、緑色系、青色系、紫色系、黒色系、白色系など何れの色調でも良く、彩度や明度についても何れの値でも構わない。
尚、このような模様や色彩、彩度、明度は、まとめて生地１０の「デザイン」であると言え、生地１０が織物や編物であれば、上述した「組織」や「繊維」等によって「デザイン」が表現されていても良く、生地１０が織物や編物、不織布、フィルムの何かであれば、プリントや表面凹凸（エンボス等）によって「デザイン」が表現されても構わない。
【００２９】
＜一方面材Ａ、他方面材Ｂ＞
図１〜９に示すように、ここまで述べた生地１０は、その表面１０ａ、裏面１０ｂ全体やその部分ごとに、上述した「素材（織物や編物等そのものや、それを構成する繊維など）」を変えたり、生地１０における「付与物」、「デザイン」などを変えて、生地１０の表面１０ａには一方面材Ａを有し、生地１０の裏面１０ｂには他方面材Ｂを有するように構成されている。
つまり、一方面材Ａや他方面材Ｂとは、１つの生地１０において、「素材」や「付与物」、「デザイン」などの少なくとも何れか１つが、互いに異なる部分（面材）を意味すると言える。
【００３０】
ここで、生地１０における「素材が異なる」とは、大まかな区分け（織物であるか、編物であるか、不織布であるか、フィルムであるかの他、それらの組合せであるか）が異なる場合だけでなく、１つ生地１０において、織物や編物を用いた部分であることは同じでも、その「組織」が異なる場合であれば、異なる面材（それぞれが一方面材Ａや他方面材Ｂ等）であると言える。
同様に、１つの生地１０において、織物や編物、不織布を用いた部分であることは同じでも、それらを構成する「繊維」が異なっている場合や、フィルムを用いた部分であることは同じでも、それらを構成する「材料」が異なっている場合であれば、やはり異なる面材であると言える。
尚、「繊維が異なる」とは、当該繊維を構成する「材料（例えば、ポリエステル繊維であるか、ナイロン繊維であるかや、絹であるか等）」や、当該繊維の「総繊度」、「単繊維繊度」、「単繊維の数（フィラメント数）」、「撚数」、「付与物」、「色彩（使用する顔料や染料）」、「断面形状」などのうち、少なくとも１つが異なれば、繊維が異なると言う。
【００３１】
生地１０における「付与物が異なる」とは、文字通り、付与する物（酸化チタン等の体質顔料やフィラーを付与するか、消臭剤等を付与するか）が異なれば、付与物が異なると言え、更に、付与するタイミング（生地１０として構成する前か後か）や、付与する方法が異なっている場合にも、付与物が異なるとしても良い。
尚、１つの生地１０において、部分的に「付与物」が異なるように構成するには、生地１０として構成する前であれば、付与物が異なる繊維を部分的に変えて用いるか、生地１０となった後であれば、塗布（刷毛やスプレー等による塗布）などによって、付与物を部分的に変えて付与することとなる。
【００３２】
生地１０における「デザインが異なる」とは、上述した模様や色彩、彩度、明度のうち、少なくとも１つが異なっていれば、デザインが異なっていると言う。
尚、生地１０が織物や編み物である場合、表現しようとするデザインが同じであっても、これらのデザインを生地１０において表現する「組織」や「繊維」が異なれば、厳密には表面形状や風合い、光沢等が異なるため、このような場合も、デザインが異なっているとも言える。
【００３３】
又、上述した一方面材Ａや他方面材Ｂ等の面材が互いに異なっていると判断するには、生地１０が織物や編み物であって「組織」や「繊維」が異なる場合には、その「組織」の一単位分（繰り返しの最小単位である１完全組織）を比較しなくては判断できない。
又、一方面材Ａや他方面材Ｂ等の面材の「デザイン」が互いに異なっていると判断するにも、生地１０が織物や編物、不織布、フィルムの何れであるかを問わず、その「デザイン」の一単位分（繰り返しの最小単位である１リピート）を比較しなくては判断できない。
【００３４】
つまり、生地１０において、異なる面材と判断するには、繰り返しの最小単位が表出する最低限の広さが必要となり、当然に、生地１０の表面１０ａ、裏面１０ｂ全体又はそれらの一部分にしか、一方面材Ａや他方面材Ｂ等の面材が表出しない。
これを換言すれば、一方面材Ａや他方面材Ｂ等の面材は、生地１０がシート状物の端面（生地１０の端部における側面であって、生地１０の表面１０ａや裏面１０ｂ以外の面）や、後述の３回端折部Ｃの折返し部分における端面には表出（露出）しない。
【００３５】
尚、生地１０を元に構成したカーテン生地２であっても同様で、カーテン生地２の端面にも、一方面材Ａや他方面材Ｂ等の面材は露出しない。
従って、生地１０（又は、カーテン生地２とも言える）が、一方面材Ａや他方面材Ｂ等の面材を有するのは、生地１０の表面１０ａや裏面１０ｂ（又は、カーテン生地２の表面２ａや裏面２ｂとも言える）だけである。
【００３６】
ここで、本発明における「生地１０の表面１０ａ（又はカーテン生地２の表面２ａ）に一方面材Ａを有する」とは、生地１０の表面１０ａ（又はカーテン生地２の表面２ａ）のみに一方面材Ａを有することを意味するだけでなく、生地１０の表面１０ａ（又はカーテン生地２の表面２ａ）の一部に一方面材Ａを有すると同時に、当該生地１０の表面１０ａ（又はカーテン生地２の表面２ａ）には一方面材Ａ以外の部材（例えば、他方面材Ｂや、Ａ、Ｂ以外の面材など）を有する（つまり、生地１０の表面１０ａ（又はカーテン生地２の表面２ａ）の少なくとも一部に一方面材Ａを有する）ことも意味する。
同様に、本発明における「生地１０の裏面１０ｂ（又はカーテン生地２の裏面２ｂ）に他方面材Ｂを有する」とは、生地１０の裏面１０ｂ（又はカーテン生地２の裏面２ｂ）のみに他方面材Ｂを有することを意味するだけでなく、生地１０の裏面１０ｂ（又はカーテン生地２の裏面２ｂ）の一部に他方面材Ｂを有すると同時に、当該生地１０の裏面１０ｂ（又はカーテン生地２の裏面２ｂ）には他方面材Ｂ以外の部材（例えば、一方面材Ａや、Ａ、Ｂ以外の面材など）を有する（つまり、生地１０の裏面１０ｂ（又はカーテン生地２の裏面２ｂ）の少なくとも一部に他方面材Ｂを有する）ことも意味する。
【００３７】
従って、本発明における「生地１０の表面１０ａ（又はカーテン生地２の表面２ａ）に一方面材Ａを有し、生地１０の裏面１０ｂ（又はカーテン生地２の裏面２ｂ）に他方面材Ｂを有している」とは、＜１＞生地１０の表面１０ａ（又はカーテン生地２の表面２ａ）のみに一方面材Ａを有すると同時に、生地１０の裏面１０ｂ（又はカーテン生地２の裏面２ｂ）のみに他方面材Ｂを有する、＜２＞生地１０の表面１０ａ（又はカーテン生地２の表面２ａ）の少なくとも一部に一方面材Ａを有すると同時に、生地１０の裏面１０ｂ（又はカーテン生地２の裏面２ｂ）のみに他方面材Ｂを有する、＜３＞生地１０の表面１０ａ（又はカーテン生地２の表面２ａ）のみに一方面材Ａを有すると同時に、生地１０の裏面１０ｂ（又はカーテン生地２の裏面２ｂ）の少なくとも一部に他方面材Ｂを有する、＜４＞生地１０の表面１０ａ（又はカーテン生地２の表面２ａ）の少なくとも一部に一方面材Ａを有すると同時に、生地１０の裏面１０ｂ（又はカーテン生地２の裏面２ｂ）の少なくとも一部に他方面材Ｂを有すること＜１＞〜＜４＞の何れかを意味する。
【００３８】
＜カーテン生地２における一方面材Ａや他方面材Ｂの露出＞
このような生地１０を元に構成したカーテン生地２において、上述したように、一方面材Ａは、カーテン生地２の表面２ａのみに露出すると同時に、他方面材Ｂは、カーテン生地２の裏面２ｂのみに露出している。
カーテン生地２は、その表面２ａのみに一方面材Ａが露出し、他方面材Ｂが裏面２ｂのみに露出するのであれば、このような露出のさせ方は、後述するヒートカットなど、何れの構成であっても良いが、例えば、以下に示す３回端折部Ｃによって、実現しても良い。
【００３９】
＜３回端折部Ｃ＞
図１〜６に示したように、３回端折部Ｃは、カーテン生地２を構成する生地１０の端部を３回折って、カーテン生地２端部からの解れ等を防ぐものであり、生地１０としては、４枚が重なっている部分が生じる（３回端折部Ｃは、４枚重ね部であるとも言える）。
ここで、生地１０の「端部」とは、生地１０の端縁から生地１０の略中央部分に向かった所定距離の部分を意味しており、生地１０が略矩形状である場合、当然に４つ存在し、カーテン生地２として用いられた際の上下方向（丈方向）から上端部１０Ａと下端部１０Ｂが決まり、カーテン生地２の表面２ａに向かった際の左右方向（幅方向）から左端部１０Ｃと右端部１０Ｄが決まる。
生地１０が略矩形状である場合、これら４つの端部１０Ａ〜１０Ｄ全てに、３回端折部Ｃが設けられていても良く、その他、４つの端部１０Ａ〜１０Ｄの少なくとも１つに、３回端折部Ｃが設けられていても良い。
【００４０】
又、生地１０が略矩形状である場合、生地１０は、その上端部１０Ａと左端部１０Ｃが重なる左上角部１０Ｅと、上端部１０Ａと右端部１０Ｄが重なる右上角部１０Ｆと、下端部１０Ｂと左端部１０Ｃが重なる左下角部１０Ｇと、下端部１０Ｂと右端部１０Ｄが重なる右下角部１０Ｈも有する。
尚、生地１０が略矩形状でない場合（例えば、略矩形状の一部（一辺等）が波形状となっていたり、略正方形状等）も、その「端部」とは、当該生地１０を端縁（周端縁）から所定距離の部分（周端部）を指す。
生地１０が略矩形状でない場合、その周端部の一周全てに、３回端折部Ｃが設けられていても良く、その他、周端部の少なくとも一部に、３回端折部Ｃが設けられていても良い。
【００４１】
＜３回端折部Ｃの各折目Ｌ１〜Ｌ３など＞
３回端折部Ｃは、３回折る際の折り方向について、生地１０の端部における端縁に近い側の２つの折目（第１折目Ｌ１、第２折目Ｌ２）では同じ方向に折るが、最も端縁から遠い側の折目（第３折目Ｌ３）は、前記第１、２折目Ｌ１、Ｌ２とは逆方向に折る。
従って、３回端折部Ｃにおいて、２回同じ方向に折る第１，２折目Ｌ１、Ｌ２で、生地１０の表面１０ａが３回端折部Ｃの内側に位置するように折った場合には、第３折目Ｌ３でその反対方向に折るため、３回端折部Ｃ（生地１０を４枚重ねた部分）は、生地１０の裏面１０ｂ（カーテン生地２の裏面２ｂ）側に位置することとなる。
【００４２】
一方、２回同じ方向に折る第１、２折目Ｌ１、Ｌ２で、生地１０の裏面１０ｂが３回端折部Ｃの内側に位置するように折った場合には、第３折目Ｌ３でその反対方向に折るため、３回端折部Ｃは、生地１０の表面１０ａ（カーテン生地２の表面２ａ）側に位置する。
尚、３回端折部Ｃが、生地１０の表面１０ａ又は裏面１０ｂ側の何れに位置するかは、生地１０における各端部（端部１０Ａ〜１０Ｄ）ごとに異なっていても良い（例えば、上下端部１０Ａ、１０Ｂでは３回端折部Ｃが生地１０の表面１０ａ側に位置し、左右端部１０Ｃ、１０Ｄでは３回端折部Ｃが生地１０の裏面１０ｂ側に位置しても良い）し、全ての端部で生地１０の表面１０ａ又は裏面１０ｂ側の何れかで統一されていても良い。
【００４３】
３回端折部Ｃにおいて、第１折目Ｌ１と端縁の距離や、各折目Ｌ１〜Ｌ３間の距離（各折幅）は、生地１０の端部を３回折れるのであれば、特に限定はなく、例えば、３つの折幅Ｗ１〜Ｗ３（１つめは、端縁と端縁に最も近い第１折目Ｌ１の間の折幅（以下、第１折幅Ｗ１）で、２つめは、端縁に最も近い第１折目Ｌ１と端縁に２番目に近い第２折目Ｌ２の間の折幅（以下、第２折幅Ｗ２）で、３つめは、端縁に２番目に近い第２折目Ｌ２と端縁から最も遠い第３折目Ｌ３の間の折幅（以下、第３折幅Ｗ３））のそれぞれが、略同じであっても良い。
又、第２折幅Ｗ２と第３折幅Ｗ３は略同じであるが、第１折幅Ｗ１だけを、第２折幅Ｗ２や第３折幅Ｗ３より狭くしても良い。
尚、第２折幅Ｗ２や第３折幅Ｗ３が、３回端折部Ｃとしての幅ＣＷと略同じとなる。
【００４４】
このように、第１折幅Ｗ１だけを狭く出来るのは、この第１折幅Ｗ１を有する第１端折部Ｐ１（生地１０における端縁と端縁に最も近い第１折目Ｌ１の間の部分）が、３回端折部Ｃが折られた際に最も内側に位置するためである。
尚、第１折幅Ｗ１だけを狭くした場合、第１端折部Ｐ１の端縁は、第２端折部Ｐ２（第１折目Ｌ１と第２折目Ｌ２の間の部分）と、第３端折部Ｐ３（第２折目Ｌ２と第３折目Ｌ３の間の部分）の間で、第１折幅Ｗ１の狭さに応じた箇所に位置する。
【００４５】
つまり、第１折幅Ｗ１を、第２折幅Ｗ２や第３折幅Ｗ３の略半分にした場合には、第１端折部Ｐ１の端縁が、第２端折部Ｐ２又は第３端折部Ｐ３の幅方向略中間付近に位置することとなる。
又、３回端折部Ｃには、第１〜３端折部Ｐ１〜Ｐ３の他に、第４端折裏面Ｐ４ｂ’（第３折目Ｌ３で折られた第３端折部Ｐ３の裏面Ｐ３ｂが当接する裏面１０ｂの一部分）や、第４端折表面Ｐ４ａ’（第３折目Ｌ３で折られた第３端折部Ｐ３の表面Ｐ３ａが当接する表面１０ａの一部分）も含まれると言える。
【００４６】
ここで、生地１０が略矩形状である場合、第１〜３折幅Ｗ１〜Ｗ３（特に、表に出易い第２、３折幅Ｗ２、Ｗ３）が、４つの端部１０Ａ〜１０Ｄにおいて全て略同じであっても良いが、４つの端部１０Ａ〜１０Ｄで異なっていても良い。
例えば、生地１０の下端部１０Ｂにおける第２、３折幅Ｗ２、Ｗ３が最も幅広く（約１０．０ｃｍなど）、その次に、上端部１０Ａにおける第２、３折幅Ｗ２、Ｗ３が大きく（約５．０ｃｍなど）、そして、左右端部１０Ｃ、１０Ｄにおける第２、３折幅Ｗ２、Ｗ３が共に最も狭い（約２．５ｃｍなど）であっても良い。
尚、上端部１０Ａにおいては、３回端折部Ｃに、芯地（モノフィラメント（単繊維）の経糸・緯糸を有した生地など）を合わせ折っていても良い。
【００４７】
＜生地１０の切欠きＮ等＞
生地１０の各角部（１０Ｅ〜１０Ｈ）においては、当該角部で重なる２つの端部のうち、まず何れか一方の端部に３回端折部Ｃを形成してから、次に残った他方の端部に３回端折部Ｃを形成する（例えば、右下角部１０Ｈであれば、まず下端部１０Ｂに３回端折部Ｃを形成してから、次に右端部１０Ｄに３回端折部Ｃを形成する等）しても良い。
従って、各端部１０Ａ〜１０Ｄ（厳密には、各端部１０Ａ〜１０Ｄにおける角部１０Ｅ〜１０Ｈを除く部分）では、上述したように、３回端折部Ｃを端部１０Ａ〜１０Ｄに形成した際には、生地１０が４枚重ねとなるが、角部１０Ｅ〜１０Ｈでは、４枚重ねの生地１０を更に４枚重ねることから４倍の１６枚重ねとなる。
【００４８】
よって、生地１０における角部１０Ｅ〜１０Ｈの一部又は全部を切り欠いて（切除して）も良く、このように角部１０Ｅ〜１０Ｈを切り欠くことで、その切欠きＮに応じて、３回端折部Ｃを形成しても、生地１０が１６枚重ねとは必ずしもならず、生地１０（カーテン生地２）の角部を薄く出来る（薄肉化できる）。
尚、角部１０Ｅ〜１０Ｈにおける切欠きＮの形状は、特に限定はないが、例えば、ある角部で重なる２つの端部（例えば、右下角部１０Ｈで重なる下端部１０Ｂと右端部１０Ｄ）において、当該２つの端部（下端部１０Ｂと右端部１０Ｄ）で形成された３回端折部Ｃの各折目Ｌ１〜Ｌ３に略沿った形状であっても（各折目Ｌ１〜Ｌ３に沿って切り欠かれても）良い。
【００４９】
３回端折部Ｃの各折目Ｌ１〜Ｌ３に略沿った場合について詳解すれば、例えば、右下角部１０Ｈにおいて、下端部１０Ｂ側の３回端折部Ｃの第１〜３折目Ｌ１〜Ｌ３から１本と、右端部１０Ｄ側の３回端折部Ｃの第１〜３折目Ｌ１〜Ｌ３から１本の折目を選ぶことで、大まかには全部で９パターンの略矩形状（又は略正方形状）の切欠きＮとなる。
ここで、「各折目Ｌ１〜Ｌ３に略沿った」とは、各端部側から選んだ２本の折目Ｌ１〜Ｌ３に完全に沿って切り欠くだけでなく、当該選んだ２本の折目Ｌ１〜Ｌ３より、生地１０の角の先端により近い側を切り欠いたり、生地１０の角のより先端に遠い側を切り欠くことも含む。
【００５０】
尚、最も端縁から遠い折目を２つ（例えば、下端部１０Ｂ側からは第３折目Ｌ３を選び、右端部１０Ｄ側からも第３折目Ｌ３）を選んで切り欠いた場合は、特に、切り欠きすぎて、３回端折部Ｃにおいて生地１０の端面が表出（露出）しないように、角の先端に近い側を切り欠くこととしても良い。
その他、角部１０Ｅ〜１０Ｈにおける切欠きＮの形状としては、第１〜３折目Ｌ１〜Ｌ３を無視して、略半円状や略三角形状などであっても良い。
【００５１】
＜３回端折部Ｃの縫製など＞
３回端折部Ｃは、生地１０の端部を３回折るだけでなく、その折った状態を保持する必要がある。
この３回端折部Ｃの折った状態を保持できるように、例えば、３回端折部Ｃの端縁（外方）側の部分（第１折目Ｌ１及び第３折目Ｌ３に略沿った部分）と、３回端折部Ｃの端縁とは反対（内方）側の部分（第２折目Ｌ２に略沿った部分）に、互いに距離を空けて縫製が施されていても良い。
【００５２】
３回端折部Ｃにおける縫製は、３回端折部Ｃの折った状態を保持できるのであれば、何れの種類の縫製であっても良いが、例えば、掬い縫い（すくい縫い）であっても構わない。
この掬い縫いは、縫製に使う糸（糸目）を生地１０の表面１０ａや裏面１０ｂ（又はカーテン生地２の表面２ａや裏面２ｂ）に表出させないように、生地１０を掬うように縫うことを意味する。
その他、３回端折部Ｃは、３回折られた状態を保持するために熱加工等や、ホットメルト等の合成樹脂による接着などが施されていても良い。
【００５３】
＜３回端折部Ｃと各面材Ａ、Ｂの配置など＞
このような３回端折部Ｃを備えた生地１０に対して、一方面材Ａと他方面材Ｂを、後述の［１］〜［２−２］の場合のように配置することで、生地１０で構成されるカーテン生地２の表面２ａには一方面材Ａのみを露出させ、カーテン生地２の裏面２ｂには他方面材Ｂのみを露出させることが可能となる。
そこで、３回端折部Ｃを備えた生地１０における一方面材Ａと他方面材Ｂの配置などについて、以下に詳解する。
【００５４】
［１］表面１０ａに一方面材Ａのみを有し、裏面１０ｂに他方面材Ｂのみを有する配置の場合
この［１］の場合、例えば、当該生地１０の端部をただ単に２回同じ方向に折っただけでは、端部処理は出来ても、カーテン生地２の表面２ａに一方面材Ａ以外に他方面材Ｂも露出するか、又は、カーテン生地２の裏面２ｂに他方面材Ｂ以外に一方面材Ａも露出することとなり、カーテン生地２（カーテン１）を裏返した際に、表面２ａに一方面材Ａのみが露出し、裏面２ｂに他方面材Ｂのみが露出したカーテン１とならず、表裏両用に適さない。
【００５５】
しかし、上述した３回端折部Ｃを備えることによって、［１］の場合であっても、解れ等を防止しつつ、一方面材Ａはカーテン生地２の表面２ａのみに露出し且つ他方面材Ｂはカーテン生地２の裏面２ｂのみに露出するため、カーテン生地２（カーテン１）のリバーシブル（表裏両用）が可能となる。
尚、３回端折部Ｃの表裏位置（上述したように、３回端折部Ｃがカーテン生地２の裏面２ｂ（生地１０の裏面１０ｂ）側に位置するか、カーテン生地２の表面２ａ（生地１０の表面１０ａ）側に位置するか）や、３回端折部Ｃにおける各折目Ｌ１〜Ｌ３の位置、各折幅Ｗ１〜Ｗ３の上述した値を問わず、３回端折部Ｃさえ備えていれば、一方面材Ａはカーテン生地２の表面２ａのみに露出すると同時に、他方面材Ｂはカーテン生地２の裏面２ｂのみに露出する。
【００５６】
又、［１］の場合には、裏面１０ｂに他方面材Ｂのみを有することから、生地１０の裏面１０ｂの一部である３回端折部Ｃの第２端折部Ｐ２における裏面Ｐ２ｂも、当然、他方面材Ｂのみを有する。
従って、図３（ａ）に示したように、３回端折部Ｃがカーテン生地２の裏面２ｂ側に位置するように各折目Ｌ１〜Ｌ３を折れば、３回端折部Ｃのうち、第２端折部Ｐ２における裏面Ｐ２ｂの他方面材Ｂだけが、カーテン生地２の裏面２ｂ側に露出することとなる。
このとき、他方面材Ｂの模様が無地であったり、他方面材Ｂのデザインにおける一単位分における所定の位置（１リピートにおける位相）が、第３折目Ｌ３と第１折目Ｌ１で略重なっていれば、３回端折部Ｃの第２端折部Ｐ２における裏面Ｐ２ｂの他方面材Ｂのデザインと、３回端折部Ｃ以外の部分における裏面２ｂの他方面材Ｂのデザインが一続きとなり、更に表裏両用に適したカーテン１となる。
【００５７】
一方、［１］の場合、表面１０ａに一方面材Ａのみを有することから、生地１０の表面１０ａの一部である３回端折部Ｃの第２端折部Ｐ２における表面Ｐ２ａが、当然、一方面材Ａのみを有する。
従って、図３（ｂ）に示したように、３回端折部Ｃがカーテン生地２の表面２ａ側に位置するように各折目Ｌ１〜Ｌ３を折れば、３回端折部Ｃのうち、第２端折部Ｐ２における表面Ｐ２ａの一方面材Ａだけが、カーテン生地２の表面２ａ側に露出することとなる。
このときも、一方面材Ａの模様が無地であったり、一方面材Ａのデザインにおける一単位分における所定の位置（１リピートにおける位相）が、第３折目Ｌ３と第１折目Ｌ１で略重なっていれば、３回端折部Ｃの第２端折部Ｐ２における表面Ｐ２ａの一方面材Ａのデザインと、３回端折部Ｃ以外の部分における表面２ａの一方面材Ａのデザインが一続きとなり、更に表裏両用に適したカーテン１となる。
【００５８】
［２−１］表面１０ａにおける３回端折部Ｃ以外の部分に一方面材Ａのみを有し、裏面１０ｂにおける３回端折部Ｃ以外の部分に他方面材Ｂのみを有する配置で、且つ、３回端折部Ｃがカーテン生地２の裏面２ｂ側に位置する場合
図３（ａ）に示すように、この［２−１］の場合は、３回端折部Ｃがカーテン生地２の裏面２ｂ側に位置することから、３回端折部Ｃのうち、第２端折部Ｐ２における裏面Ｐ２ｂだけが、カーテン生地２の裏面２ｂ側に露出する。
【００５９】
これは、３回端折部Ｃのうち、第２端折部Ｐ２における裏面Ｐ２ｂに、他方面材Ｂのみを有していれば、それ以外の３回端折部Ｃの部分は、一方面材Ａや他方面材Ｂを有していたり、面材Ａ、Ｂ以外の面材を有していても良いことを意味する。
つまり、図３（ａ）で示されたように、符号Ｐ１ａ、Ｐ１ｂ、Ｐ２ａ、Ｐ３ａ、Ｐ３ｂ、Ｐ４ｂ’で示される表面・裏面それぞれは、図３（ａ）中では、一方面材Ａや他方面材Ｂを有しているが、カーテン生地２の裏面２ｂ側に露出しないことから、面材Ａ、Ｂ以外の面材を有していても良いことがわかる。
ここで、図３（ａ）中の符号Ｐ１ａ、Ｐ１ｂ、Ｐ２ａ、Ｐ３ａ、Ｐ３ｂ、Ｐ４ｂ’で示される表面・裏面それぞれは、実際には、図４〜６のように、互いに近接している。
尚、第２端折部Ｐ２の裏面Ｐ２ｂ以外の３回端折部Ｃの部分とは、第１端折部Ｐ１の表面Ｐ１ａ・裏面Ｐ１ｂや、第２端折部Ｐ２の表面Ｐ２ａ、第３端折部Ｐ３の表面Ｐ３ａ・裏面Ｐ３ｂ、そして、第４端折裏面Ｐ４ｂ’ある。
又、［２−１］の場合も、他方面材Ｂの模様が無地であったり、他方面材Ｂのデザインにおける一単位分における所定の位置（１リピートにおける位相）が、第３折目Ｌ３と第１折目Ｌ１で略重なっていれば、３回端折部Ｃの第２端折部Ｐ２における裏面Ｐ２ｂの他方面材Ｂのデザインと、３回端折部Ｃ以外の部分における裏面２ｂの他方面材Ｂのデザインが一続きとなり、更に表裏両用に適したカーテン１となる。
【００６０】
［２−２］表面１０ａにおける３回端折部Ｃ以外の部分に一方面材Ａのみを有し、裏面１０ｂにおける３回端折部Ｃ以外の部分に他方面材Ｂのみを有する配置で、且つ、３回端折部Ｃがカーテン生地２の表面２ａ側に位置する場合
図３（ｂ）に示すように、この［２−２］の場合は、３回端折部Ｃがカーテン生地２の表面２ａ側に位置することから、３回端折部Ｃのうち、第２端折部Ｐ２における表面Ｐ２ａだけが、カーテン生地２の表面２ａ側に露出する。
【００６１】
これは、３回端折部Ｃのうち、第２端折部Ｐ２における表面Ｐ２ａに、一方面材Ａのみを有していれば、それ以外の３回端折部Ｃの部分は、一方面材Ａや他方面材Ｂを有していたり、面材Ａ、Ｂ以外の面材を有していても良いことを意味する。
つまり、図３（ｂ）で示されたように、符号Ｐ１ａ、Ｐ１ｂ、Ｐ２ｂ、Ｐ３ａ、Ｐ３ｂ、Ｐ４ａ’で示される表面・裏面それぞれは、図３（ｂ）中では、一方面材Ａや他方面材Ｂを有しているが、カーテン生地２の表面２ａ側に露出しないことから、面材Ａ、Ｂ以外の面材を有していても良いことがわかる。
ここで、図３（ｂ）中の符号Ｐ１ａ、Ｐ１ｂ、Ｐ２ｂ、Ｐ３ａ、Ｐ３ｂ、Ｐ４ａ’で示される表面・裏面それぞれは、実際には、図４〜６のように、互いに近接している。
尚、第２端折部Ｐ２の表面Ｐ２ａ以外の３回端折部Ｃの部分とは、第１端折部Ｐ１の表面Ｐ１ａ・裏面Ｐ１ｂや、第２端折部Ｐ２の裏面Ｐ２ｂ、第３端折部Ｐ３の表面Ｐ３ａ・裏面Ｐ３ｂ、そして、第４端折表面Ｐ４ａ’である。
又、［２−２］の場合も、一方面材Ａの模様が無地であったり、一方面材Ａのデザインにおける一単位分における所定の位置（１リピートにおける位相）が、第３折目Ｌ３と第１折目Ｌ１で略重なっていれば、３回端折部Ｃの第２端折部Ｐ２における表面Ｐ２ａの一方面材Ａのデザインと、３回端折部Ｃ以外の部分における表面２ａの一方面材Ａのデザインが一続きとなり、更に表裏両用に適したカーテン１となる。
【００６２】
ここまで述べた［１］〜［２−２］の場合より、表面１０ａに一方面材Ａ以外を有し、裏面１０ｂに他方面材Ｂ以外を有した生地１０でカーテン生地２を構成しても、上述した３回端折部Ｃによって、一方面材Ａはカーテン生地２の表面２ａのみに露出すると同時に、他方面材Ｂはカーテン生地２の裏面２ｂのみに露出させることが可能であることがわかる。
又、３回端折部Ｃを備えていなくとも、生地１０が、後述するリバース部１１やダブル部１２を折った２回端折部Ｄを備えていたり、表面１０ａに一方面材Ａのみを有し、裏面１０ｂに他方面材Ｂのみを有する生地１０の端部を、ヒートカッタ等にて端部処理をすることによって、一方面材Ａはカーテン生地２の表面２ａのみに露出すると同時に、他方面材Ｂはカーテン生地２の裏面２ｂのみに露出させても良い。
【００６３】
＜クリアランス部３＞
図１〜６に示したように、クリアランス部３は、上述した３回端折部Ｃや、後述する２回端折部Ｄにおいて折られて重なったカーテン生地２（生地１０とも言える）同士の間の隙間である。
クリアランス部３は、３回端折部Ｃ等におけるカーテン生地２同士の間の隙間であれば、何れの構成であっても良いが、例えば、３回端折部Ｃの折った状態を保持する上述の縫製の一部を、敢えて施さないことで、クリアランス部３の開口３’を形成する構成であっても良い。
【００６４】
この場合、３回端折部Ｃの外方側の部分（第１折目Ｌ１及び第３折目Ｌ３に略沿った部分）と、３回端折部Ｃの内方側の部分（第２折目Ｌ２に略沿った部分）に互いに距離を空けて施される縫製の一部を、敢えて施さないこととなるため、形成された開口３’から内部に入れば、クリアランス部３は、各折目Ｌ１〜Ｌ３に略沿って存在することとなる。
尚、３回端折部Ｃ等において折られて重なったカーテン生地２（第１〜３端折部Ｐ１〜Ｐ３）同士が、全面をホットメルト等によって接着されている場合でも、第１〜３端折部Ｐ１〜Ｐ３同士の全面接着を外した部分に、クリアランス部３が形成されるとも言える。
以下は、３回端折部Ｃにおけるクリアランス部３について主に述べる。
【００６５】
クリアランス部３は、３回端折部Ｃにおいて折られて重なったカーテン生地２同士によって形成されていれば、特に限定はなく、３回端折部Ｃにおいては、カーテン生地２の端縁（外方）側が開口した外方開口クリアランス部３ａと、カーテン生地２の端縁とは反対（内方）側が開口した内方開口クリアランス部３ｂの２種類が存在する。
【００６６】
＜外方開口クリアランス部３ａ＞
まず、外方開口クリアランス部３ａについて述べると、外方開口クリアランス部３ａは、第１端折部Ｐ１と第３端折部Ｐ３との間で形成されるか、又は、第１端折部Ｐ１及び第２端折部Ｐ２と第３端折部Ｐ３との間で形成されている。
尚、外方開口クリアランス部３ａが、第１端折部Ｐ１と第３端折部Ｐ３との間で形成される場合とは、第１折幅Ｗ１が、第２折幅Ｗ２及び第３折幅Ｗ３と略同じ長さとなっている場合である。
【００６７】
又、外方開口クリアランス部３ａが、第１端折部Ｐ１及び第２端折部Ｐ２と第３端折部Ｐ３との間で形成される場合とは、第１折幅Ｗ１が、第２折幅Ｗ２及び第３折幅Ｗ３より狭くなっている場合である。
更に詳解すれば、外方開口クリアランス部３ａは、開口３ａ’から内方へ進んだ第１端折部Ｐ１の先端までは第１端折部Ｐ１と第３端折部Ｐ３との間で形成され、第１端折部Ｐ１の先端から更に内方に進むと第２端折部Ｐ２と第３端折部Ｐ３との間で形成されることとなる。
【００６８】
外方開口クリアランス部３ａの深さは、第２折幅Ｗ２及び第３折幅Ｗ３と略同じであって、外方開口クリアランス部３ａの底は、第２折目Ｌ２に位置することとなる。
尚、外方開口クリアランス部３ａが、カーテン生地２における下端部の３回端折部Ｃに形成されていれば下方開口クリアランス部３ａであると言え、その他、カーテン生地２における上端部の３回端折部Ｃに形成されていれば上方開口クリアランス部３ａであり、カーテン生地２における（正面視で）左端部の３回端折部Ｃに形成されていれば左方開口クリアランス部３ａであり、カーテン生地２における（正面視で）右端部の３回端折部Ｃに形成されていれば右方開口クリアランス部３ａであると言える。
【００６９】
＜内方開口クリアランス部３ｂ＞
次に、内方開口クリアランス部３ｂについて述べると、内方開口クリアランス部３ｂは、３回端折部Ｃがカーテン生地２の裏面２ｂ側に位置していれば、第３端折部Ｐ３と第４端折裏面Ｐ４ｂ’との間で形成され、３回端折部Ｃがカーテン生地２の表面２ａ側に位置していれば、第３端折部Ｐ３と第４端折表面Ｐ４ａ’との間で形成されることとなる。
内方開口クリアランス部３ｂの深さは、第３折幅Ｗ３と略同じであって、内方開口クリアランス部３ｂの底は、第３折目Ｌ３に位置することとなる。
【００７０】
＜ラベル４＞
図１〜６（特に、図５）に示すように、ラベル４は、当該ラベル４が付けられるカーテン１の防炎性能や製造履歴、洗濯条件、リサイクル情報などを示すものである。
ラベル４は、カーテン１の防炎性能などの情報が、織物などの布帛やフィルム等に、印字などにより示されており、ラベル４の形状も、略矩形状など、特に限定はない。
ラベル４の付け方も、特に限定はなく、カーテン生地２に対して、縫付、ちょう付、下げ札、貼付などであっても良い。
【００７１】
ラベル４の種類には、基準に定める防炎性能を有していることが確認された製品であることを示す「防炎物品ラベル」や、製造履歴を明らかにする防炎カーテンのトレーサビリティー確保のための「補助ラベル」、洗い方（液温、洗濯機の水流強度、洗剤の種類、手洗いか、水洗い不可か）、塩素系漂白剤について（塩素系漂白剤の使用不可か）、アイロンの掛け方（温度、当て布の有無、アイロン掛け不可か）、ドライクリーニングについて（溶剤、ドライクリーニング不可か）などを示す「洗濯ラベル」などがある。
その他、ラベル４は、カーテン生地２（生地１０）を構成する繊維素材（ポリエステル、アクリル、レーヨン、絹、綿、麻などや、又は、それらの混紡したもの等）を示したり、又、ブランドラベルを示したり、リサイクルの際の連絡先や製造者名などを示していても良い。
【００７２】
＜ラベル４とクリアランス部３＞
このようなラベル４を付ける位置は、上述したクリアランス部３の内部であって、当該ラベル４の少なくとも一部がクリアランス部３に覆われるのであれば、カーテン生地２における下端部や左右端部、上端部など、特に限定はない。
ここで、本発明における「ラベル４の少なくとも一部がクリアランス部３に覆われる」とは、ラベル４の一部又は全体がクリアランス部３に覆われることであり、特に、ラベル４全体が覆われるとは、クリアランス部３の深さの値がラベル４の上下方向長さ（丈）の値より大きく、且つ、カーテン１の正面視において、クリアランス部３の開口３’からラベル４の何れの部分も露出していないことを意味する。
更に加えて、本発明における「ラベル４の少なくとも一部がクリアランス部３に覆われる」とは、１つのカーテン１に複数枚のラベル４が付けられ、その複数枚のラベル４のうち、少なくとも１枚のラベル４における一部又は全部がクリアランス部３に覆われていること（例えば、３枚のラベル４のうち、１枚のラベル４だけが一部をクリアランス部３に覆われ、その他の２枚のラベル４は全部をクリアランス部３に覆われること等）も含む。
【００７３】
尚、ラベル４を付ける位置がカーテン生地２の下端部であれば、下方開口クリアランス部３ａの内部、又は、カーテン生地２下端部の内方開口クリアランス部３ｂの内部にラベル４が付けられることとなる。
同様に、ラベル４を付ける位置がカーテン生地２の左端部であれば、左方開口クリアランス部３ａの内部、又は、カーテン生地２左端部の内方開口クリアランス部３ｂの内部にラベル３が付けられ、カーテン生地２の右端部であれば、右方開口クリアランス部３ａの内部、又は、カーテン生地２右端部の内方開口クリアランス部３ｂの内部に付けられ、カーテン生地２の上端部であれば、上方開口クリアランス部３ａの内部、又は、カーテン生地２上端部の内方開口クリアランス部３ｂの内部に付けられることとなる。
【００７４】
＜フック５＞
図１〜６（特に、図６）に示したように、フック５は、上述したように、カーテンランナ等に引っ掛かって、カーテン１を吊り下げるためのものである。
フック５の形状は、カーテン１を吊り下げられるのであれば、鉤形状でなくとも良く、例えば、リング形状であったり、フック５の構成も、例えば、クリップ型あっても構わない。
フック５の個数は、吊り下げるカーテン１の幅に応じた数となり、通常は複数である。
【００７５】
＜フック５とクリアランス部３＞
このようなフック５を付ける位置は、カーテン生地２上端部の上方開口クリアランス部３ａの内部であって、当該フック５の少なくとも一部が上方開口クリアランス部３ａに覆われることとなる。
ここで、本発明における「フック５の少なくとも一部がクリアランス部３に覆われる」とは、フック５の一部又は全体がクリアランス部３に覆われることであり、特に、フック５全体が覆われるとは、上方開口クリアランス部３ａの深さの値がフック５の上下方向長さ（丈）の値より大きく、且つ、カーテン１の正面視において、上方開口クリアランス部３ａの開口３ａ’からフック５の何れの部分も露出していないことを意味する。
【００７６】
又、フック５は、上方開口クリアランス部３ａ内部で、カーテン生地２（生地１０）に対して、着脱自在に付けられていても良い。
フック５を着脱自在に付ける構成としては、例えば、面ファスナーを介して、フック５を、上方開口クリアランス部３ａ内部に対して着脱自在な構成としたり、上方開口クリアランス部３ａ内部のカーテン生地２に設けられた孔に、フック５の一部を差し込むことで着脱自在な構成としても良い。
フック５は上述したように複数あり、これら複数のフック５がカーテンランナ等に引っ掛かることから、これらのフック５を覆う上方開口クリアランス部３ａの開口３ａ’は、その開口幅が、カーテン１（カーテン生地２）の幅と略同じ長さであっても良い。
図６に示したように、上方開口クリアランス部３ａにおいては、その内面側に、上述した芯地）を貼り付けていても良い。
【００７７】
＜染色堅ろう度Ｋ等＞
上述したカーテン１（カーテン生地２又は生地１０）における一方面材Ａや他方面材Ｂの染色堅ろう度Ｋについて、以下に述べる。
尚、本発明における「染色堅ろう度Ｋ」とは、ＪＩＳ−Ｌ−０８４２：２００４の第３露光法に準ずる染色堅ろう度を意味する。
【００７８】
カーテン生地２における一方面材Ａや他方面材Ｂそれぞれの染色堅ろう度Ｋは、特に限定はない。
又、一方面材Ａと他方面材Ｂとの染色堅ろう度Ｋの差ΔＫも、特に限定はないが、例えば、０．５級以上、好ましくは１．０級以上、更に好ましくは１．５級以上であっても良い。
【００７９】
＜実施例１−１〜１−３＞
ここからは、図７〜９に示す本発明に係る生地１０（カーテン生地２とも言える）の実施例１−１〜１−３について言及する。
これらの実施例を用いて、後述する試験を行う。
【００８０】
＜実施例１−１＞
図７に示すように、実施例１−１の生地１０は、織物であって、その組織は、８枚朱子織である。
この実施例１−１の生地１０において、表面１０ａには一方面材Ａのみを有し（一方面材Ａのみが露出し）、裏面１０ｂには他方面材Ｂのみを有している（一方面材Ａのみが露出している）。
尚、一方面材Ａを構成する繊維は、絹（シルク）繊維であり、その色彩は灰色（グレー）系である。
又、他方面材Ｂを構成する繊維は、アクリル系繊維であり、その色彩は茶色（ブラウン）系である。
【００８１】
＜実施例１−２＞
図８に示すように、実施例１−１の生地１０において、表面１０ａにおける一方面材Ａを構成する繊維の色彩を薄灰色（ライトグレー）系とし、裏面１０ｂにおける他方面材Ｂを構成する繊維の色彩をクリーム色系に変えることで、実施例１−２の生地１０を得た。
【００８２】
＜実施例１−３＞
図９に示すように、実施例１−１の生地１０において、織物の組織を５枚朱子織に変え、表面１０ａにおける一方面材Ａを構成する繊維の色彩を薄灰色（ライトグレー）系とし、裏面１０ｂにおける他方面材Ｂを構成する繊維の色彩をクリーム色系に変えることで、実施例１−３の生地１０を得た。
【００８３】
＜試験（染色堅ろう度Ｋの試験）＞
上述した実施例１−１〜１−３の生地１０における表面１０ａ、裏面１０ｂそれぞれの染色堅ろう度Ｋを、ＪＩＳ−Ｌ−０８４２：２００４の第３露光法に準ずる試験によって測定し、その測定値を、以下の表１と図７〜９に示す。
尚、表１中の染色堅ろう度Ｋのうち、実施例１−１の表面１０ａ及び裏面１０ｂの「４−５級」とは、実施例１−１の表面１０ａ及び裏面１０ｂの変退色が、４級のブルースケールと５級のブルースケールに亘って同程度であることを示し、「４．５級」であるとも言える。
又、表１中の染色堅ろう度Ｋのうち、実施例１−２の裏面１０ｂの「５−６級」とは、実施例１−２の裏面１０ｂの変退色が、５級のブルースケールと６級のブルースケールに亘って同程度であることを示し、「５．５級」であるとも言える。
【００８４】
【表１】
2018083026.tif 000003
【００８５】
＜試験の評価（染色堅ろう度Ｋの評価）＞
表１、図７〜９で示されたように、１枚の生地１０であっても、その表面１０ａと裏面１０ｂで露出する繊維が異なれば、染色堅ろう度Ｋも異なると言え（特に、実施例１−２と１−３を参照）、表面１０ａの一方面材Ａ（シルク繊維）の方が裏面１０ｂの他方面材Ｂ（アクリル系繊維）より染色堅ろう度Ｋは低い（つまり、シルク繊維の方が、アクリル系繊維より変退色し易い）。
尚、実施例１−１においては、一方面材Ａ（シルク繊維）と他方面材Ｂ（アクリル系繊維）との染色堅ろう度Ｋの差ΔＫは「０級」であると言え、実施例１−２においては、一方面材Ａと他方面材Ｂとの染色堅ろう度Ｋの差ΔＫは「１．５級」であると言え、実施例１−３においては、一方面材Ａと他方面材Ｂとの染色堅ろう度Ｋの差ΔＫは「１．０級」であると言える。
【００８６】
繊維素材・織組織が同じであっても、色彩が異なれば、染色堅ろう度Ｋも異なると言え（特に、実施例１−１と１−２を比較）、表面１０ａ（シルク繊維）においては、薄灰色（ライトグレー）系の方が灰色（グレー）系より染色堅ろう度Ｋは高く、裏面１０ｂ（アクリル系繊維）においては、クリーム色系の方が茶色（ブラウン）系より染色堅ろう度Ｋは低い（つまり、濃い色の方が、薄い色より変退色し易い）とも言える。
又、色彩が濃い色（灰色（グレー）系や茶色（ブラウン）系）である場合には、繊維素材が異なっても、一方面材Ａと他方面材Ｂとの染色堅ろう度Ｋの差ΔＫは小さいとも言えるが、色彩が薄い色（薄灰色（ライトグレー）系やクリーム色系）である場合には、一方面材Ａと他方面材Ｂとの染色堅ろう度Ｋの差ΔＫが、１．０級以上になるとも言える。
【００８７】
繊維素材・色彩が同じでも、組織（織組織）が異なれば、染色堅ろう度Ｋも異なるとも言え（特に、実施例１−２と１−３を比較）、裏面１０ｂ（アクリル系繊維）においては、５枚朱子織の方が８枚朱子織より染色堅ろう度Ｋは低い（つまり、５枚朱子織の方が、８枚朱子織より変退色し易い）とも言える。
又、５枚朱子織の実施例１−３における一方面材Ａと他方面材Ｂとの染色堅ろう度Ｋの差ΔＫの方が、８枚朱子織の実施例１−２における一方面材Ａと他方面材Ｂとの染色堅ろう度Ｋの差ΔＫより小さいとも言える。
この違いは、８枚朱子織の方が５枚朱子織より朱子線（裏留め）が目立たず、隙間が小さい（生地１０として光を透過し難い）ことが関係しているとも言える。
【００８８】
＜透光率Ｔ＞
続いて、ここまで述べたカーテン１（カーテン生地２又は生地１０）における一方面材Ａや他方面材Ｂの透過率Ｔについて、以下に述べる。
尚、本発明における「透過率Ｔ」とは、ＪＩＳ−Ｌ−１０５５：２００９のＡ法に準ずる遮光率を１００から引いて求めた透過率を意味し、又、ＪＩＳ−Ｌ−１０５５：２００９のＡ法に準ずる「試験片を装着したときの照度」を「試験片を装着しないときの照度」で割った商を１００倍して求めた透過率とも言える。
【００８９】
カーテン生地２における一方面材Ａや他方面材Ｂそれぞれの透過率Ｔは、特に限定はない。
例えば、上述の試験の評価の最後で言及したように、透過率Ｔが小さい方が、一方面材Ａと他方面材Ｂとの染色堅ろう度Ｋの差ΔＫをはっきり出せて、片方の面材（染色堅ろう度Ｋの低い一方面材Ａ（シルク繊維など））を守ることが出来ると言える。
【００９０】
このように、染色堅ろう度Ｋの低い一方面材Ａを守るのであれば、他方面材Ｂの透過率Ｔは、３０％以下、好ましくは２０％以下、更に好ましくは１０％であっても良い。
これとは逆に、一方面材Ａと他方面材Ｂ両方の色彩を濃い色とすれば、一方面材Ａと他方面材Ｂとの染色堅ろう度Ｋの差ΔＫが小さくなるとも言えることから、一方面材Ａ及び／又は他方面材Ｂの透過率Ｔは、４０％以上、好ましくは５０％以上、更に好ましくは６０％であっても良いとも言える。
【００９１】
＜第２実施形態のカーテン１＞
図１０〜１５は、本発明の第２実施形態に係るカーテン１、生地１０を示している。
この第２実施形態の生地１０として第１実施形態の生地１０と最も異なるのは、リバース部１１を有している点であり、第２実施形態のカーテン１として第１実施形態のカーテン１と最も異なるのは、２回端折部Ｄを有している点である。
【００９２】
＜リバース部１１＞
図１０〜１５に示すように、リバース部１１は、一方面材Ａと他方面材Ｂが生地１０一部の表裏で入れ替わっている。
尚、本発明における「一方面材Ａと他方面材Ｂが生地１０一部の表裏で入れ替わっている」とは、表面１０ａに一方面材Ａを有し、裏面１０ｂに他方面材Ｂを有する生地１０において、当該生地１０の一部は、表面１０ａに他方面材Ｂのみを有し、当該生地１０の一部の裏面１０ｂに一方面材Ａのみを有することで、当該生地１０の一部以外の部分と比較すると、一方面材Ａと他方面材Ｂの配置と表裏で入れ替わっていることを意味し、この当該生地１０の一部がリバース部１１であるとも言える。
【００９３】
リバース部１１は、生地１０の一部にあれば、何れの位置でも良いが、例えば、生地１０が略矩形状であれば、その４つの端部１０Ａ〜１０Ｄの少なくとも１つに設けられていても良い。
生地１０が略矩形状でない場合（例えば、略矩形状の一部（一辺等）が波形状となっていたり、略正方形状等）も、その周端部の一周全てにリバース部１１が設けられていたり、周端部の少なくとも一部にリバース部１１が設けられていても良い。
【００９４】
リバース部１１の形状は、特に限定はないが、例えば、所定幅（リバース幅１１Ｗと言える）を有した略帯状であっても良い。
尚、リバース部１１が略帯状である場合、そのリバース幅１１Ｗは、常に一定であっても良いが、所定の割合で増減したり（つまり、略帯状のリバース部１１が先細り・末広がりとなったり）、略帯状のリバース部１１における何れか又は全ての縁が波形状であったりしても良い。
【００９５】
リバース部１１は、生地１０における端部以外に設けられていても良く、例えば、カーテン生地２として用いられた際の上下方向（丈方向）に沿って、左端部１０Ｃや右端部１０Ｄ以外の部分に、略帯状に設けられていても良い。
その他、リバース部１１は、カーテン生地２として用いられた際の左右方向（幅方向）に沿って、上端部１０Ａや下端部１０Ｂ以外の部分に、略帯状に設けられていたり、斜め方向に沿って、各端部１０Ａ〜１０Ｄ以外の部分に、略帯状に設けられていても良い。
【００９６】
又、リバース部１１は、上下方向や左右方向、斜め方向に沿って、所定間隔ごとに、所定のリバース幅１１Ｗで、複数設けられていても良い。
尚、リバース部１１が生地１０における端部以外に設けられていても、当該生地１０を、リバース部１１を裁断する（特に、略帯状のリバース部１１であれば、その長手方向に略沿って裁断する）ことで、端部にリバース部１１を有した生地１０とすることも出来る。
【００９７】
＜リバース部１１の組織例＞
図１３（ａ）〜（ｃ）に示すように、リバース部１１は、生地１０におけるリバース部以外の部分１１’と組織として一体に設けられていても良く、例えば、リバース部１１と、リバース部以外の部分１１’の組織（織組織）を、５枚朱子織を基本として織成しても構わない。
この５枚朱子織を基本としたリバース部１１の織組織は、リバース部１１とリバース部以外の部分１１’の境界で、浮いている糸が経糸から緯糸（又は、その逆に）に切り替わり、且つ、経糸による裏留めから緯糸による裏留め（又は、その逆に）に切り替わる（図１３（ａ）〜（ｃ）参照）。
尚、図１３（ａ）〜（ｃ）における「Ａ」や「Ｂ」は、それらの符号が指す糸１本だけを示しているのではなく、生地１０の表面１０ａや裏面１０ｂに存在する「一方面材Ａ」や「他方面材Ｂ」全体を指している。
【００９８】
ここで、図１４、１５の実施例２−１、２で示すように、経糸方向などに各糸が詰まることによって、浮いている経糸又は緯糸だけが表に見えて、裏留めは目立たず表に見えない。
従って、生地１０の表面１０ａ（図１３（ａ）〜（ｃ）においては手前側の面）では、他方面材Ｂを構成する糸（緯糸）のみが露出する図１３（ａ）〜（ｃ）の左側部分（リバース部１１）と、一方面材Ａを構成する糸（経糸）のみが露出する図１３（ａ）〜（ｃ）の右側部分（リバース部以外の部分１１’）を設けることが出来る。
【００９９】
そして、生地１０の裏面１０ｂ（図１３（ａ）〜（ｃ）においては奥手側の面）では、一方面材Ａを構成する糸（緯糸）のみが露出する図１３（ａ）〜（ｃ）の左側部分（リバース部１１）と、他方面材Ｂを構成する糸（経糸）のみが露出する図１３（ａ）〜（ｃ）の右側部分（リバース部以外の部分１１’）を設けることが出来る。
尚、リバース部１１の組織は、図１３（ａ）〜（ｃ）で示した織組織に限定されず、例えば、８枚朱子織を基本として織成した織組織や、朱子織以外の織組織、又、織組織ではなく、編組織であるなど、何れの組織であっても良い。
【０１００】
＜リバース部１１を折った２回端折部Ｄ＞
図１０〜１５に示すように、リバース部１１を折った２回端折部Ｄは、生地１０（カーテン生地２を構成する生地１０）の端部に設けられた上述のリバース部１１を２回折って、カーテン生地２端部からの解れ等を防ぐものである。
この２回端折部Ｄでは、生地１０が３枚重なっている部分が生じることから、２回端折部Ｄは、３枚重ね部であるとも言える。
【０１０１】
生地１０が略矩形状である場合、その４つの端部１０Ａ〜１０Ｄ全てに、２回端折部Ｄが設けられていても良く、その他、４つの端部１０Ａ〜１０Ｄの少なくとも１つに、２回端折部Ｄが設けられていても良い。
一方、生地１０が略矩形状でない場合（例えば、略矩形状の一部（一辺等）が波形状となっていたり、略正方形状等）、その周端部の一周全てに、２回端折部Ｄが設けられていても良く、その他、周端部の少なくとも一部に、２回端折部Ｄが設けられていても良い。
【０１０２】
＜リバース部１１を折った２回端折部Ｄの各折目Ｌ１、Ｌ２など＞
リバース部１１を折った２回端折部Ｄは、２回折る際の折り方向について、生地１０の端部における端縁に最も近い側の折目（第１折目Ｌ１）と、この第１折目Ｌ１の次に端縁に近い側の折目（第２折目Ｌ２）では、同じ方向に折る。
従って、２回端折部Ｄにおいて、２回同じ方向に折る第１、２折目Ｌ１、Ｌ２で、生地１０の裏面１０ｂが２回端折部Ｄの内側に位置するように折った場合には、２回端折部Ｄ（生地１０を３枚重ねた部分）は、生地１０の裏面１０ｂ（カーテン生地２の裏面２ｂ）側に位置することとなる。
【０１０３】
一方、２回同じ方向に折る第１、２折目Ｌ１、Ｌ２で、生地１０の表面１０ａが２回端折部Ｄの内側に位置するように折った場合には、２回端折部Ｄは、生地１０の表面１０ａ（カーテン生地２の表面２ａ）側に位置する。
尚、２回端折部Ｄも、生地１０の表面１０ａ又は裏面１０ｂ側の何れに位置するかは、生地１０における各端部（端部１０Ａ〜１０Ｄ）ごとに異なっていても良いし、全ての端部で生地１０の表面１０ａ又は裏面１０ｂ側の何れかで統一されていても良い。
【０１０４】
尚、２回端折部Ｄにおいて、まず、第１折目Ｌ１は、リバース部１１とリバース部以外の部分１１’の境界と、生地１０の端部における端縁との間の略中間にある線から、端縁寄りに位置する。
次に、第２折目Ｌ２は、リバース部１１とリバース部以外の部分１１’の境界に、略重なるように位置する。
【０１０５】
又、第１折幅Ｗ１（端縁と第１折目Ｌ１の間の折幅）と、第２折幅Ｗ２（第１折目Ｌ１と第２折目Ｌ２の間の折幅）のそれぞれを略同じとしたり、第１折幅Ｗ１を第２折幅Ｗ２より狭くしても良い。
尚、第１折幅Ｗ１と第２折幅Ｗ２の和がリバース部１１のリバース幅１１Ｗとなると共に、第２折幅Ｗ２が２回端折部Ｄとしての幅ＤＷと略同じとなる。
【０１０６】
従って、所定のリバース幅１１Ｗを持つリバース部１１に対して、第１折幅Ｗ１を狭くするほど、第２折幅Ｗ２（２回端折部Ｄの幅ＤＷ）が広くなり、第１折幅Ｗ１を広くするほど、第２折幅Ｗ２（２回端折部Ｄの幅ＤＷ）が狭くなる。
２回端折部Ｄには、第１、２端折部Ｐ１、Ｐ２の他に、第３端折表面Ｐ３ａ’（第２折目Ｌ２で折られた第２端折部Ｐ２の表面Ｐ２ａが当接する表面１０ａの一部分）や、第３端折裏面Ｐ３ｂ’（第２折目Ｌ２で折られた第３端折部Ｐ３の表面Ｐ３ａが当接する表面１０ａの一部分）も含まれると言える。
【０１０７】
＜生地１０の切欠きＮ等＞
２回端折部Ｄは、３回端折部Ｃと同様に、生地１０の各角部（１０Ｅ〜１０Ｈ）においては、当該角部で重なる２つの端部のうち、まず何れか一方の端部に２回端折部Ｄを形成してから、次に残った他方の端部に２回端折部Ｄを形成する（例えば、右下角部１０Ｈであれば、まず下端部１０Ｂに２回端折部Ｄを形成してから、次に右端部１０Ｄに２回端折部Ｄを形成する等）としても良い。
従って、各端部１０Ａ〜１０Ｄ（厳密には、各端部１０Ａ〜１０Ｄにおける角部１０Ｅ〜１０Ｈを除く部分）では、上述したように、２回端折部Ｄを端部１０Ａ〜１０Ｄに形成した際には、生地１０が３枚重ねとなるが、角部１０Ｅ〜１０Ｈでは、３枚重ねの生地１０を更に３枚重ねることから３倍の９枚重ねとなる。
【０１０８】
よって、２回端折部Ｄにおいても、生地１０における角部１０Ｅ〜１０Ｈの一部又は全部を切り欠いて（切除して）も良く、このように角部１０Ｅ〜１０Ｈを切り欠くことで、その切欠きＮに応じて、２回端折部Ｄを形成しても、生地１０が９枚重ねとは必ずしもならず、生地１０（カーテン生地２）の角部を薄く出来る（薄肉化できる）。
尚、角部１０Ｅ〜１０Ｈにおける切欠きＮの形状は、特に限定はないが、例えば、ある角部で重なる２つの端部（例えば、右下角部１０Ｈで重なる下端部１０Ｂと右端部１０Ｄ）において、当該２つの端部（下端部１０Ｄと右端部１０Ｄ）で形成された２回端折部Ｄの第１、２折目Ｌ１、Ｌ２に略沿った形状であっても（第１、２折目Ｌ１、Ｌ２に沿って切り欠かれても）良い。
【０１０９】
２回端折部Ｄの第１、２折目Ｌ１、Ｌ２に略沿った場合について詳解すれば、例えば、左上角部１０Ｅにおいて、下端部１０Ｂ側の３回端折部Ｃの第１折目Ｌ１と第２折目Ｌ２から１本と、右端部１０Ｄ側の３回端折部Ｃの第１折目Ｌ１と第２折目Ｌ２から１本の折目を選ぶことで、大まかには全部で４パターンの略矩形状（又は略正方形状）の切欠きＮとなる。
ここで、「第１、２折目Ｌ１、Ｌ２に略沿った」とは、選んだ２本の折目Ｌ１〜Ｌ３に完全に沿って切り欠くだけでなく、選んだ２本の折目Ｌ１〜Ｌ３より、生地１０の角の先端により近い側を切り欠いたり、生地１０の角の先端により遠い側を切り欠くことも含む。
【０１１０】
尚、最も端縁から遠い折目を２つ（例えば、下端部１０Ｂ側からは第２折目Ｌ２を選び、右端部１０Ｄ側からも第２折目Ｌ２）を選んで切り欠いた場合は、特に、切り欠きすぎて、２回端折部Ｄにおいて生地１０の端面が表出（露出）しないように、角の先端に近い側を切り欠くこととしても良い。
その他、角部１０Ｅ〜１０Ｈにおける切欠きＮの形状としては、第１折目Ｌ１又は第２折目Ｌ２を無視して、略半円状や略三角形状などであっても良い。
【０１１１】
＜２回端折部Ｄの縫製など＞
２回端折部Ｄも、３回端折部Ｃと同様に、生地１０の端部を２回折るだけでなく、その折った状態を保持する必要がある。
この２回端折部Ｄの折った状態を保持できるように、例えば、２回端折部Ｄの端縁（外方）側の部分（第１折目Ｌ１に略沿った部分）と、２回端折部Ｄの端縁とは反対（内方）側の部分（第２折目Ｌ２に略沿った部分）に、互いに距離を空けて縫製が施されていても良い。
【０１１２】
２回端折部Ｄにおける縫製は、２回端折部Ｄの折った状態を保持できるのであれば、何れの種類の縫製であっても良いが、例えば、上述した掬い縫い（すくい縫い）であっても構わない。
その他、２回端折部Ｄも、２回折られた状態を保持するために熱加工等や、ホットメルト等の合成樹脂による接着などが施されていても良い。
【０１１３】
＜リバース部１１を折った２回端折部Ｄと各面材Ａ、Ｂの配置など＞
このようなリバース部１１を折った２回端折部Ｄにおける上述の第１、２折目Ｌ１、Ｌ２で生地１０を折ることで、リバース部１１が設けられた生地１０で構成されるカーテン生地２の表面２ａには一方面材Ａのみを露出させ、カーテン生地２の裏面２ｂには他方面材Ｂのみを露出させることが出来、解れ等を防止しつつ、一方面材Ａはカーテン生地２の表面２ａのみに露出し且つ他方面材Ｂはカーテン生地２の裏面２ｂのみに露出するため、カーテン生地２（カーテン１）のリバーシブル（表裏両用）が可能となる。
又、以下では、リバース部１１が設けられた生地１０における一方面材Ａと他方面材Ｂの配置などについて、更に詳しく述べる。
【０１１４】
図１２（ａ）に示したように、２回端折部Ｄがカーテン生地２の裏面２ｂ側に位置するように各折目Ｌ１、Ｌ２を折れば、２回端折部Ｄのうち、第２端折部Ｐ２（リバース部１１の一部）における表面Ｐ２ａの他方面材Ｂだけが、カーテン生地２の裏面２ｂ側に露出することとなる。
ここで、図１２（ａ）中の符号Ｐ１ａ、Ｐ１ｂ、Ｐ２ｂ、Ｐ３ｂ’で示される表面・裏面それぞれは、実際には、互いに近接している。
このとき、他方面材Ｂの模様が無地であったり、他方面材Ｂのデザインが第２折目Ｌ２（リバース部１１とリバース部以外の部分１１’の境界）において、表裏で入れ替わりつつ線対称になっていれば、２回端折部Ｄの第２端折部Ｐ２における表面Ｐ２ａの他方面材Ｂのデザインと、２回端折部Ｄ以外の部分における裏面２ｂの他方面材Ｂのデザインが一続きとなり、更に表裏両用に適したカーテン１となる。
【０１１５】
一方、図１２（ｂ）に示したように、２回端折部Ｄがカーテン生地２の表面２ａ側に位置するように各折目Ｌ１、Ｌ２を折れば、２回端折部Ｄのうち、第２端折部Ｐ２（リバース部１１の一部）における裏面Ｐ２ｂの一方面材Ａだけが、カーテン生地２の表面２ａ側に露出することとなる。
ここで、図１２（ｂ）中の符号Ｐ１ａ、Ｐ１ｂ、Ｐ２ａ、Ｐ３ａ’で示される表面・裏面それぞれは、実際には、互いに近接している。
このとき、一方面材Ａの模様が無地であったり、一方面材Ａのデザインが第２折目Ｌ２（リバース部１１とリバース部以外の部分１１’の境界）において、表裏で入れ替わりつつ線対称になっていれば、２回端折部Ｄの第２端折部Ｐ２における裏面Ｐ２ｂの一方面材Ａのデザインと、２回端折部Ｄ以外の部分における表面２ａの一方面材Ａのデザインが一続きとなり、更に表裏両用に適したカーテン１となる。
【０１１６】
＜２回端折部Ｄにおけるクリアランス部３＞
図１０〜１５に示したように、２回端折部Ｄにおけるクリアランス部３も、３回端折部Ｃの場合と同様に、２回端折部Ｄにおいて折られて重なったカーテン生地２（生地１０とも言える）同士の間の隙間である。
このクリアランス部３も、２回端折部Ｄにおけるカーテン生地２同士の間の隙間であれば、何れの構成であっても良いが、例えば、２回端折部Ｄの折った状態を保持する上述の縫製の一部を、敢えて施さないことで、クリアランス部３の開口３’を形成する構成であっても良い。
【０１１７】
この場合、２回端折部Ｄの外方側の部分（第１折目Ｌ１及び第３折目Ｌ３に略沿った部分）と、２回端折部Ｄの内方側の部分（第２折目Ｌ２に略沿った部分）に互いに距離を空けて施される縫製の一部を、敢えて施さないこととなるため、形成された開口３’から内部に入れば、クリアランス部３は、各折目Ｌ１、Ｌ２に略沿って存在することとなる。
尚、２回端折部Ｄにおいて折られて重なったカーテン生地２（第１、２端折部Ｐ１、Ｐ２）同士が、全面をホットメルト等によって接着されている場合でも、第１、２端折部Ｐ１、Ｐ２同士の全面接着を外した部分に、クリアランス部３が形成されるとも言える。
２回端折部Ｄにおけるクリアランス部３は、２回端折部Ｄにおいて折られて重なったカーテン生地２同士によって形成されていれば、特に限定はないが、３回端折部Ｃにおけるクリアランス部３とは異なり、カーテン生地２の端縁とは反対（内方）側が開口した内方開口クリアランス部３ｂの１種類だけが存在することとなる。
【０１１８】
＜内方開口クリアランス部３ｂ＞
この内方開口クリアランス部３ｂは、２回端折部Ｄがカーテン生地２の裏面２ｂ側に位置していれば、第２端折部Ｐ２と第３端折裏面Ｐ３ｂ’との間で形成され、２回端折部Ｄがカーテン生地２の表面２ａ側に位置していれば、第２端折部Ｐ２と第３端折表面Ｐ３ａ’との間で形成されることとなる。
内方開口クリアランス部３ｂの深さは、第２折幅Ｗ２と略同じであって、内方開口クリアランス部３ｂの底は、第２折目Ｌ２に位置することとなる。
その他のカーテン１、生地１０の構成、作用効果及び使用態様は、第１実施形態と同様である。
【０１１９】
＜第３実施形態のカーテン１＞
図１０、１１、１６〜１８は、本発明の第３実施形態に係るカーテン１、生地１０を示している。
この第３実施形態の生地１０として、第１、２実施形態の生地１０と最も異なるのは、ダブル部１２を有している点である。
又、第３実施形態のカーテン１として、第１実施形態のカーテン１と最も異なるのは、２回端折部Ｄを有している点であり、第２実施形態のカーテン１と最も異なるのは、その２回端折部Ｄがダブル部１２を折ることで形成されている点である。
【０１２０】
＜ダブル部１２＞
図１０、１１、１６〜１８に示すように、ダブル部１２は、生地１０一部の表裏が共に一方面材Ａ若しくは他方面材Ｂを有している。
尚、本発明における「生地１０一部の表裏が共に一方面材Ａ若しくは他方面材Ｂを有している」とは、表面１０ａに一方面材Ａを有し、裏面１０ｂに他方面材Ｂを有する生地１０において、当該生地１０の一部の表面１０ａには、一方面材Ａ若しくは他方面材Ｂのみを有し、その一部の裏面１０ｂにも表面１０ａと同じ面材のみを有することで、その一部が、表裏が共に一方面材Ａ若しくは他方面材Ｂを有していることを意味し、その一部がダブル部１２であるとも言える。
【０１２１】
ダブル部１２も、リバース部１１と同様に、生地１０の一部にあれば、何れの位置でも良いが、例えば、生地１０が略矩形状であれば、その４つの端部１０Ａ〜１０Ｄの少なくとも１つに設けられていても良い。
生地１０が略矩形状でない場合（例えば、略矩形状の一部（一辺等）が波形状となっていたり、略正方形状等）も、その周端部の一周全てにダブル部１２が設けられていたり、周端部の少なくとも一部にダブル部１２が設けられていても良い。
【０１２２】
ダブル部１２の形状は、特に限定はないが、例えば、所定幅（ダブル幅１２Ｗと言える）を有した略帯状であっても良い。
尚、ダブル部１２が略帯状である場合、そのダブル幅１２Ｗは、常に一定であっても良いが、所定の割合で増減したり（つまり、略帯状のダブル部１２が先細り・末広がりとなったり）、略帯状のダブル部１２における何れか又は全ての縁が波形状であったりしても良い。
【０１２３】
ダブル部１２は、生地１０における端部以外に設けられていても良く、例えば、カーテン生地２として用いられた際の上下方向（丈方向）に沿って、左端部１０Ｃや右端部１０Ｄ以外の部分に、略帯状に設けられていても良い。
その他、ダブル部１２は、カーテン生地２として用いられた際の左右方向（幅方向）に沿って、上端部１０Ａや下端部１０Ｂ以外の部分に、略帯状に設けられていたり、斜め方向に沿って、各端部１０Ａ〜１０Ｄ以外の部分に、略帯状に設けられていても良い。
【０１２４】
又、ダブル部１２は、上下方向や左右方向、斜め方向に沿って、所定間隔ごとに、所定のダブル幅１２Ｗで、複数設けられていても良い。
尚、ダブル部１２が生地１０における端部以外に設けられていても、当該生地１０を、ダブル部１２を裁断する（特に、略帯状のダブル部１２であれば、その長手方向に略沿って裁断する）ことで、端部にダブル部１２を有した生地１０とすることも出来る。
【０１２５】
＜ダブル部１２の組織例＞
図１７（ａ）、（ｂ）に示すように、ダブル部１２は、生地１０におけるダブル部以外の部分１２’と組織として一体に設けられていても良く、例えば、ダブル部１２と、ダブル部以外の部分１２’の組織（織組織）を、朱子織を基本として織成しても構わない。
この朱子織を基本としたダブル部１２の織組織は、浮いている緯糸が３種類（図１７（ａ）、（ｂ）中の「イ」、「ロ」、「ハ」）あり、ダブル部１２とダブル部以外の部分１２’の境界で、この「イ」、「ロ」、「ハ」の何れの緯糸が浮くかが切り替わる（図１７（ａ）、（ｂ）参照）。
尚、図１７（ａ）、（ｂ）における「Ａ」や「Ｂ」も、それらの符号が指す糸１本だけを示しているのではなく、生地１０の表面１０ａや裏面１０ｂに存在する「一方面材Ａ」や「他方面材Ｂ」全体を指している。
【０１２６】
ここで、図１８の実施例３で示すように、経糸方向などに各糸が詰まることによって、「イ」、「ロ」、「ハ」のうち、浮いている緯糸だけが表に見えて、その他の浮いていない緯糸や裏留めは目立たず表に見えない。
尚、「イ」、「ロ」、「ハ」の緯糸のうち、「ロ」と「ハ」の緯糸は、同じ繊維（素材・色彩・繊度・付与物等が同じ）を用いている。
従って、生地１０の表面１０ａ（図１７（ａ）、（ｂ）においては手前側の面）では、他方面材Ｂを構成する糸（浮いている「ロ」の緯糸）のみが露出する図１７（ａ）、（ｂ）の左側部分（ダブル部１２）と、一方面材Ａを構成する糸（浮いている「イ」の緯糸）のみが露出する図１７（ａ）、（ｂ）の右側部分（ダブル部以外の部分１２’）と、を設けることが出来る。
【０１２７】
そして、生地１０の裏面１０ｂ（図１７（ａ）、（ｂ）においては奥手側の面）では、他方面材Ｂを構成する糸（浮いている「ハ」の緯糸）のみが露出する図１７（ａ）、（ｂ）の左側部分（ダブル部１２）と、同じく他方面材Ｂを構成する糸（浮いている「ハ」の緯糸）のみが露出する図１７（ａ）、（ｂ）の左側部分（ダブル部以外の部分１２’）を設けることが出来る。
尚、ダブル部１２の組織も、図１７（ａ）、（ｂ）で示した織組織に限定されず、例えば、朱子織以外の織組織、又、織組織ではなく、編組織であるなど、何れの組織であっても良い。
【０１２８】
ここで、ダブル部１２は、ダブル部１２の表裏が共に他方面材Ｂである場合（図１１、図１６（ａ）、図１７（ａ）、（ｂ））と、表裏が共に一方面材Ａである場合（図１６（ｂ））の２つがある。
【０１２９】
＜ダブル部１２を折った２回端折部Ｄ＞
図１０、１１、１６〜１８に示すように、ダブル部１２を折った２回端折部Ｄも、リバース部１１を折った２回端折部Ｄのように、生地１０（カーテン生地２を構成する生地１０）の端部に設けられた上述のダブル部１２を２回折って、カーテン生地２端部からの解れ等を防ぐものである。
この２回端折部Ｄでも、生地１０が３枚重なっている部分が生じることから、２回端折部Ｄは、３枚重ね部であるとも言える。
【０１３０】
＜ダブル部１２を折った２回端折部Ｄの各折目Ｌ１、Ｌ２など＞
ダブル部１２を折った２回端折部Ｄも、リバース部１１を折った２回端折部Ｄと同様に、２回折る際の折り方向について、生地１０の端部における端縁に最も近い側の折目（第１折目Ｌ１）と、この第１折目Ｌ１の次に端縁に近い側の折目（第２折目Ｌ２）では、同じ方向に折る。
ここで、２回端折部Ｄとして折ったダブル部１２の表裏が共に他方面材Ｂである場合（図１６（ａ）等）には、第１、２折目Ｌ１、Ｌ２で、生地１０の裏面１０ｂが２回端折部Ｄの内側に位置するように２回折ることで、２回端折部Ｄ（生地１０を３枚重ねた部分）は、生地１０の裏面１０ｂ（カーテン生地２の裏面２ｂ）側に位置することとなる。
【０１３１】
一方、２回端折部Ｄとして折ったダブル部１２の表裏が共に一方面材Ａである場合（図１６（ｂ））には、第１、２折目Ｌ１、Ｌ２で、生地１０の表面１０ａが２回端折部Ｄの内側に位置するように２回折ることで、２回端折部Ｄ（生地１０を３枚重ねた部分）は、生地１０の表面１０ａ（カーテン生地２の表面２ａ）側に位置することとなる。
尚、ダブル部１２を折った２回端折部Ｄも、生地１０の表面１０ａ又は裏面１０ｂ側の何れに位置するかは、生地１０における各端部（端部１０Ａ〜１０Ｄ）ごとに異なっていても良いし、全ての端部で生地１０の表面１０ａ又は裏面１０ｂ側の何れかで統一されていても良い。
【０１３２】
尚、ダブル部１２を折った２回端折部Ｄにおいても、まず、第１折目Ｌ１は、ダブル部１２とダブル部以外の部分１２’の境界と、生地１０の端部における端縁との間の略中間にある線から、端縁寄りに位置する。
次に、第２折目Ｌ２は、ダブル部１２とダブル部以外の部分１２’の境界に、略重なるように位置する。
【０１３３】
又、第１折幅Ｗ１（端縁と第１折目Ｌ１の間の折幅）と、第２折幅Ｗ２（第１折目Ｌ１と第２折目Ｌ２の間の折幅）のそれぞれを略同じとしたり、第１折幅Ｗ１を第２折幅Ｗ２より狭くしても良い。
尚、第１折幅Ｗ１と第２折幅Ｗ２の和がダブル部１２のダブル幅１２Ｗとなると共に、第２折幅Ｗ２が、ダブル部１２を折った２回端折部Ｄとしての幅ＤＷと略同じとなる。
【０１３４】
従って、所定のダブル幅１２Ｗを持つダブル部１２に対して、第１折幅Ｗ１を狭くするほど、第２折幅Ｗ２（２回端折部Ｄの幅ＤＷ）が広くなり、第１折幅Ｗ１を広くするほど、第２折幅Ｗ２（２回端折部Ｄの幅ＤＷ）が狭くなる。
ダブル部１２を折った２回端折部Ｄにも、第１、２端折部Ｐ１、Ｐ２の他に、第３端折表面Ｐ３ａ’（第２折目Ｌ２で折られた第２端折部Ｐ２の表面Ｐ２ａが当接する表面１０ａの一部分）や、第３端折裏面Ｐ３ｂ’（第２折目Ｌ２で折られた第３端折部Ｐ３の表面Ｐ３ａが当接する表面１０ａの一部分）も含まれると言える。
【０１３５】
＜ダブル部１２を折った２回端折部Ｄと各面材Ａ、Ｂの配置など＞
このようなダブル部１２を折った２回端折部Ｄにおける上述の第１、２折目Ｌ１、Ｌ２で生地１０を折ることで、ダブル部１２が設けられた生地１０で構成されるカーテン生地２の表面２ａには一方面材Ａのみを露出させ、カーテン生地２の裏面２ｂには他方面材Ｂのみを露出させることが出来、解れ等を防止しつつ、一方面材Ａはカーテン生地２の表面２ａのみに露出し且つ他方面材Ｂはカーテン生地２の裏面２ｂのみに露出するため、カーテン生地２（カーテン１）のリバーシブル（表裏両用）が可能となる。
又、以下では、ダブル部１２が設けられた生地１０における一方面材Ａと他方面材Ｂの配置などについて、更に詳しく述べる。
【０１３６】
図１６（ａ）に示したように、表裏が共に他方面材Ｂであるダブル部１２を折った２回端折部Ｄがカーテン生地２の裏面２ｂ側に位置するように各折目Ｌ１、Ｌ２を折れば、２回端折部Ｄのうち、第２端折部Ｐ２（ダブル部１２の一部）における表面Ｐ２ａの他方面材Ｂだけが、カーテン生地２の裏面２ｂ側に露出することとなる。
ここで、図１６（ａ）中の符号Ｐ１ａ、Ｐ１ｂ、Ｐ２ｂ、Ｐ３ｂ’で示される表面・裏面それぞれは、実際には、互いに近接している。
このとき、他方面材Ｂの模様が無地であったり、他方面材Ｂのデザインが第２折目Ｌ２（ダブル部１２とダブル部以外の部分１２’の境界）において、表裏で入れ替わりつつ線対称になっていれば、２回端折部Ｄの第２端折部Ｐ２における表面Ｐ２ａの他方面材Ｂのデザインと、２回端折部Ｄ以外の部分における裏面２ｂの他方面材Ｂのデザインが一続きとなり、更に表裏両用に適したカーテン１となる。
【０１３７】
一方、図１６（ｂ）に示したように、表裏が共に一方面材Ａであるダブル部１２を折った２回端折部Ｄがカーテン生地２の表面２ａ側に位置するように各折目Ｌ１、Ｌ２を折れば、２回端折部Ｄのうち、第２端折部Ｐ２（リバース部１１の一部）における裏面Ｐ２ｂの一方面材Ａだけが、カーテン生地２の表面２ａ側に露出することとなる。
ここで、図１６（ｂ）中の符号Ｐ１ａ、Ｐ１ｂ、Ｐ２ａ、Ｐ３ａ’で示される表面・裏面それぞれは、実際には、互いに近接している。
このとき、一方面材Ａの模様が無地であったり、一方面材Ａのデザインが第２折目Ｌ２（ダブル部１２とダブル部以外の部分１２’の境界）において、表裏で入れ替わりつつ線対称になっていれば、２回端折部Ｄの第２端折部Ｐ２における裏面Ｐ２ｂの一方面材Ａのデザインと、２回端折部Ｄ以外の部分における表面２ａの一方面材Ａのデザインが一続きとなり、更に表裏両用に適したカーテン１となる。
その他のカーテン１、生地１０の構成、作用効果及び使用態様は、第１、２実施形態と同様である。
【０１３８】
＜その他＞
尚、本発明は、前述した実施形態に限定されるものではない。カーテン１、生地１０等の各構成又は全体の構造、形状、寸法などは、本発明の趣旨に沿って適宜変更することが出来る。
カーテン１（カーテン生地２）は、縫製やセット加工等によって、ヒダを形成しても良い。
カーテン生地２は、表面１０ａには一方面材Ａのみを有し、裏面１０ｂには他方面材Ｂのみを有する生地１０の端部をヒートカットによって、端部処理（解れ防止）を行うことで、生地１０を折ることなく、表面１０ａに一方面材Ａのみを露出させ、裏面１０ｂに他方面材Ｂのみを露出させるものとしても良い。
【０１３９】
又、１つのカーテン生地２に対して、上述した端部処理（３回端折部Ｃや２回端折部Ｄ、後述のヒートカット等、処理後２回端折部Ｅ、処理後１回端折部Ｆ）が混在しても良い。
ここで、ヒートカットやオーバーロック等による解れ止めの処理を施した場合は、折る回数が少なくなり、又、３回端折部Ｃが２回の端折り（処理後２回端折部Ｅ）で済み、又、２回端折部Ｃが１回の端折り（処理後１回端折部Ｆ）で済むことになるが、見映えや、耐久性の面から、縫製による端折りが好ましく、リバース部１１やダブル部１２を設けた生地１０を端折りするほうが、折返し部分の生地１０の厚みを減らせ、見映えや縫製のし易さの点でより好ましい。
【０１４０】
＜処理後２回端折部Ｅ＞
上述した処理後２回端折部Ｅは、２回折る際の折り方向について、第１折目Ｌ１と第２折目Ｌ２で、折る方向が反対となる（謂わば、処理後２回端折部Ｅの断面形状が、Ｎ字状（Ｚ字状やＳ字状）になるとも言える）。
従って、処理後２回端折部Ｅにおいて、第１折目Ｌ１で、生地１０の表面１０ａが処理後２回端折部Ｅの内側に位置するように折った場合には、第２折目Ｌ２でその反対方向に折るため、処理後２回端折部Ｅ（生地１０を３枚重ねた部分）は、生地１０の裏面１０ｂ（カーテン生地２の裏面２ｂ）側に位置することとなる。
【０１４１】
一方、第１折目Ｌ１で、生地１０の裏面１０ｂが処理後２回端折部Ｅの内側に位置するように折った場合には、第２折目Ｌ２でその反対方向に折るため、処理後２回端折部Ｅは、生地１０の表面１０ａ（カーテン生地２の表面２ａ）側に位置する。
処理後２回端折部Ｅは、第１、２端折部Ｐ１、Ｐ２の他に、第３端折裏面Ｐ３ｂ’（第２折目Ｌ２で折られた第２端折部Ｐ２の裏面Ｐ２ｂが当接する裏面１０ｂの一部分）や、第３端折表面Ｐ３ａ’（第２折目Ｌ２で折られた第２端折部Ｐ２の表面Ｐ２ａが当接する表面１０ａの一部分）も含まれると言える。
【０１４２】
処理後２回端折部Ｅは、３回端折部Ｃのように、外方開口クリアランス部３ａと内方開口クリアランス部３ｂの２種類を有する。
ここで、処理後２回端折部Ｅにおける外方開口クリアランス部３ａは、第１端折部Ｐ１と第２端折部Ｐ２との間で形成され、内方開口クリアランス部３ｂは、第２端折部Ｐ２と、第３端折表面Ｐ３ａ’又は第３端折裏面Ｐ３ｂ’との間で形成される。
【０１４３】
＜処理後１回端折部Ｆ＞
処理後１回端折部Ｆは、第１端折部Ｐ１の他に、第２端折裏面Ｐ２ｂ’（第１折目Ｌ１で折られた第１端折部Ｐ１の裏面Ｐ１ｂが当接する裏面１０ｂの一部分）や、第２端折表面Ｐ２ａ’（第１折目Ｌ１で折られた第１端折部Ｐ１の表面Ｐ１ａが当接する表面１０ａの一部分）も含まれると言える。
処理後１回端折部Ｆは、２回端折部Ｄのように  内方開口クリアランス部３ｂの１種類のみを有する。
【０１４４】
ここで、処理後１回端折部Ｆにおける内方開口クリアランス部３ｂは、第１端折部Ｐ１と、第２端折表面Ｐ２ａ’又は第２端折裏面Ｐ２ｂ’との間で形成される。
その他、処理後２回端折部Ｅや処理後１回端折部Ｆにおける各折目Ｌ１、Ｌ２や、各折幅Ｗ１、Ｗ２、各端折部Ｐ１、Ｐ２、第３端折表面・裏面Ｐ３ａ’、Ｐ３ｂ’の構成、作用効果及び使用態様、そして、処理後２回端折部Ｅや処理後１回端折部Ｆとクリアランス部３やラベル４、フック５との関係は、３回端折部Ｃや２回端折部Ｄと同様である。
【０１４５】
尚、カーテン生地２は、上述では、当該カーテン生地２の表面２ａに一方面材Ａを有し、カーテン生地２の裏面２ｂに他方面材Ｂを有していたが、その際、一方面材Ａと他方面材Ｂにおける「素材」や「付与物」、「デザイン」などの何れもが同一であっても（換言すれば、当該カーテン生地２の表面２ａと裏面２ｂの両面に、一方面材Ａ又は他方面材Ｂのみを有していても）良い。
フック５は、カーテンランナに引っ掛けられるだけでなく、直接、窓枠の上部や壁に設けられた鉤状の部材に引っ掛けられることで、カーテン１を吊り下げても良い。
【産業上の利用可能性】
【０１４６】
本発明のカーテンは、当該カーテンを裏返して、意図した意匠性を有する一方面材と他方面材の両方を見せる表裏両用カーテンとして利用するだけでなく、当該カーテンは裏返さずに、室内と室外の両方（カーテンで仕切った空間のうち、一方と他方の両方の空間）等における使用者それぞれに、意図した意匠性を有する各面材を見えるカーテンとしても、利用可能（つまり、表裏両用可能なカーテン）である。
又、昨今、増えるラベルを露出させることなくカーテンに付けることを可能とし、高い意匠性を表現できるカーテンとしても、更には、耐光堅牢度の弱い面を日射側に露出させず、品質の維持が可能なカーテンとしても利用が可能である。
本発明の生地は、表裏両用可能なカーテンに利用するだけでなく、表裏両用可能な垂れ幕やどん帳などのシート状物にも利用できる。
【符号の説明】
【０１４７】
１          カーテン
２          カーテン生地
２ａ        カーテン生地の表面
２ｂ        カーテン生地の裏面
３          クリアランス部
４          ラベル
５          フック
１０        生地
１０ａ      生地の表面
１０ｂ      生地の裏面
１１        リバース部
１２        ダブル部
Ａ          一方面材
Ｂ          他方面材
Ｃ          ３回端折部
Ｄ          ２回端折部
Ｅ          処理後２回端折部
Ｆ          処理後１回端折部                                                   
【図１】
2018083026.tif 000004
【図２】
2018083026.tif 000005
【図３】
2018083026.tif 000006
【図４】
2018083026.tif 000007
【図５】
2018083026.tif 000008
【図６】
2018083026.tif 000009
【図７】
2018083026.tif 000010
【図８】
2018083026.tif 000011
【図９】
2018083026.tif 000012
【図１０】
2018083026.tif 000013
【図１１】
2018083026.tif 000014
【図１２】
2018083026.tif 000015
【図１３】
2018083026.tif 000016
【図１４】
2018083026.tif 000017
【図１５】
2018083026.tif 000018
【図１６】
2018083026.tif 000019
【図１７】
2018083026.tif 000020
【図１８】
2018083026.tif 000021